(57)【特許請求の範囲】
【請求項１】
映写機からの映像を反射させ、前記映像を天板に載置された被検体に提供する反射板と、
前記反射板を支持する支持アームに対する前記反射板の着脱と、前記映写機からの前記映像が投影されるスクリーンに対する前記支持アームの位置の変化と、前記反射板の回転角度の変化とのうち少なくとも１つに応じて、検査室または架台に設けられた照明の状態と、前記天板に載置された前記被検体を撮影するカメラの撮影状態と、のうち少なくとも一つが変化するように制御する制御部と、
を備えた医用画像診断装置。
【請求項２】
前記反射板を回転可能に支持する支持アームと、
前記支持アームに対する前記反射板の着脱と、スクリーンに対する前記支持アームの位置と、前記反射板の回転角度とのうち少なくとも１つに基づいて、前記反射板の配置を検出する検出器と、
をさらに具備する、請求項１に記載の医用画像診断装置。
【請求項３】
前記映写機は前記スクリーンに向けて映像を出力し、
前記反射板は、前記スクリーンに出力された映像を反射する、
請求項２に記載の医用画像診断装置。
【請求項４】
前記反射板と前記支持アームとのうち少なくとも一つは、前記天板上の前記被検体を撮影する少なくとも一つの前記カメラを搭載し
前記カメラは、
対物レンズと、
前記対物レンズからの光を導く光導波路と、
ボアの外部に設けられ前記光導波路からの光を受光する受光素子と、を有し、
前記制御部は、
前記スクリーンに対する前記反射板の角度と前記スクリーンに対する前記支持アームの相対的な位置とのうち少なくとも一つに応じて、前記カメラによる撮影方向を切り替える、
請求項２または３に記載の医用画像診断装置。
【請求項５】
前記カメラにより撮影された映像を表示する映像表示モニタをさらに有し、
前記制御部は、前記映像表示モニタにおける映像においてユーザにより指定された位置を、磁場中心位置に移動させる位置として設定する、
請求項２乃至４のうちいずれか一項に記載の医用画像診断装置。
【請求項６】
前記反射板と前記支持アームとのうち少なくとも一つは、外装面にスピーカを有し、
前記制御部は、前記スクリーンに対する前記反射板の角度と前記スクリーンに対する前記支持アームの相対的な位置とのうち少なくとも一つに応じて、前記スピーカから出力される音の音量と、波形と、周波数と、再生速度とのうち少なくとも１つの制御を行う、
請求項２乃至５のうちいずれか一項に記載の医用画像診断装置。
【請求項７】
前記反射板と前記支持アームとのうち少なくとも一つは、外装面に発光器を有し、
前記制御部は、前記スクリーンに対する前記反射板の角度と前記スクリーンに対する前記支持アームの相対的な位置とのうち少なくとも一つに応じて、前記発光器により発生される光のＯＮ状態およびＯＦＦ状態、または前記光の強弱を切り替える、
請求項２乃至６のうちいずれか一項に記載の医用画像診断装置。
【請求項８】
前記支持アームを有する映像投影装置は、前記スクリーンに対する前記支持アームの配置に応答して前記反射板を回転させる、
請求項２乃至７のうちいずれか一項に記載の医用画像診断装置。
【請求項９】
前記照明は、前記架台に形成されたボアの内部に設けられたボア内照明器と、前記架台の外装面に設けられた外装照明器と、前記検査室に設けられた検査室照明器とのうち少なくとも１つであり、
前記制御部は、前記照明のＯＮ状態とＯＦＦ状態との間の制御、または前記照明の調光制御を行う、
請求項１乃至８のうちいずれか一項に記載の医用画像診断装置。
【請求項１０】
所定の透過率および反射率を有するビームスプリッタと、前記ビームスプリッタに光を照射する光源とを含み、支持アームにより支持される、映写機からの映像を反射させる反射板と、
前記映写機からの前記映像が投影されるスクリーンに対する前記支持アームの位置の変化と、前記反射板の回転角度の変化とのうち少なくとも１つに応じて、前記光源の状態を制御する制御部と、
を具備する医用画像診断装置。
【請求項１１】
前記反射板は、前記ビームスプリッタの一方の面に配置された導光板をさらに備え、
前記光源は、前記導光板の端部に配置される、
請求項１０に記載の医用画像診断装置。
【請求項１２】
前記反射板は、前記導光板の背面側に、所定の画像が設けられたフィルムを有する、
請求項１１に記載の医用画像診断装置。
【請求項１３】
前記ビームスプリッタの一方の面に前記光源を含むモニタをさらに備えた、
請求項１０乃至１２のうちいずれか一項に記載の医用画像診断装置。
【請求項１４】
表示機器が出力する映像を反射させ、前記映像を天板に載置された被検体に提供する反射板と、
前記反射板を支持する支持アームに対する前記反射板の着脱に応じて、検査室に設けられた照明の状態の制御を行う制御部と、
を備えた医用画像診断装置。
【請求項１５】
表示機器が出力する映像を反射させ、前記映像を天板に載置された被検体に提供する反射板と、
前記反射板を支持する支持アームの前記表示機器に対する位置の変化と、前記反射板の回転角度の変化とのうち少なくとも１つに応じて、検査室に設けられた照明の状態の制御を行う制御部と、
を備えた医用画像診断装置。
【請求項１６】
表示機器が出力する映像を反射させ、前記映像を天板に載置された被検体に提供する反射板と、
前記反射板を支持する支持アームに対する前記反射板の着脱に応じて、架台に設けられた照明の状態の制御を行う制御部と、
を備えた医用画像診断装置。
【請求項１７】
表示機器が出力する映像を反射させ、前記映像を天板に載置された被検体に提供する反射板と、
前記反射板を支持する支持アームの前記表示機器に対する位置の変化と、前記反射板の回転角度の変化とのうち少なくとも１つに応じて、架台に設けられた照明の状態の制御を行う制御部と、
を備えた医用画像診断装置。
【請求項１８】
表示機器が出力する映像を反射させ、前記映像を天板に載置された被検体に提供する反射板と、
前記反射板を支持する支持アームに対する前記反射板の着脱に応じて、前記天板に載置された前記被検体を撮影するカメラの撮影状態の制御を行う制御部と、
を備えた医用画像診断装置。
【請求項１９】
表示機器が出力する映像を反射させ、前記映像を天板に載置された被検体に提供する反射板と、
前記反射板を支持する支持アームの前記表示機器に対する位置の変化と、前記反射板の回転角度の変化とのうち少なくとも１つに応じて、前記天板に載置された前記被検体を撮影するカメラの撮影状態の制御を行う制御部と、
を備えた医用画像診断装置。
【請求項２０】
所定の透過率および反射率を有するビームスプリッタと、前記ビームスプリッタに光を照射する光源とを含み、表示機器が出力する映像を反射させる反射板と、
前記反射板を支持する支持アームの前記表示機器に対する位置の変化と、前記反射板の回転角度の変化とのうち少なくとも１つに応じて、前記光源の状態を制御する制御部と、
を備えた医用画像診断装置。
【発明の詳細な説明】
【技術分野】
【０００１】
本発明の実施形態は、医用画像診断装置に関する。
【背景技術】
【０００２】
磁気共鳴イメージング装置は、磁石等の撮像機構を装備する架台を有している。架台には略中空形状のボアが形成されている。ＭＲ（Ｍａｇｎｅｔｉｃ  Ｒｅｓｏｎａｎｃｅ）撮像はボア内に患者が挿入された状態において行われる。比較的大きいボア径を有する架台が開発されているが、長時間に及ぶＭＲ撮像時間や架台駆動中の騒音、ボア内での圧迫感及び閉塞感により、ＭＲ検査にストレスを感じる患者は少なくない。
【先行技術文献】
【特許文献】
【０００３】
【特許文献１】特開２００１−３１４３９１号公報
【発明の概要】
【発明が解決しようとする課題】
【０００４】
実施形態の目的は、架台のボア内の居住性を向上可能な医用画像診断装置を提供することにある。
【課題を解決するための手段】
【０００５】
本実施形態に係る医用画像診断装置は、映写機からの映像を反射させ、前記映像を天板に載置された被検体に提供する反射板と、前記反射板の着脱、または前記天板に対する前記反射板の配置状態に応じて、検査室または架台に設けられた照明の制御と、前記天板に載置された前記被検体を撮影するカメラの制御と、のうち少なくとも一つを行う制御部と、を備える。
【図面の簡単な説明】
【０００６】
【図１】図１は、本実施形態に係る医用画像診断装置を含む医用画像診断システムの構成を示す図である。
【図２】図２は、本実施形態に係る磁気共鳴イメージング装置の構成を示す図である。
【図３】図３は、本実施形態に係る磁気共鳴イメージングシステムの設置環境の一例を示す図である。
【図４】図４は、本実施形態に係る架台筐体の斜視図である。
【図５】図５は、本実施形態に係る移動式スクリーン装置の斜視図である。
【図６】図６は、本実施形態に係り、図５の移動式スクリーン装置の側面図である。
【図７】図７は、本実施形態に係り、図５の移動式スクリーン装置の正面図である。
【図８】図８は、本実施形態に係る、連結した移動式スクリーン装置と天板との斜視図である。
【図９】図９は、本実施形態に係る、ボア内に配置されたスクリーンの模式的な正面図である。
【図１０】図１０は、本実施形態に係る反射板の構成の一例を示す断面図である。
【図１１】図１１は、本実施形態に係り、図１０とは異なる構成の反射板の一例を示す断面図である。
【図１２】図１２は、本実施形態に係り、図１０および図１１とは異なる構成の反射板の一例を示す断面図である。
【図１３】図１３は、本実施形態に係り、図６の支持アームがＺ軸に関してスライドされた移動式スクリーン装置の側面図である。
【図１４】図１４は、本実施形態に係る、架台のボアに配置された移動式スクリーン装置の簡易な側面図である。
【図１５】図１５は、本実施形態に係る第１の映写形式における移動式スクリーン装置を架台の側方から示す図である。
【図１６】図１６は、本実施形態に係る第１の映写形式における移動式スクリーン装置を架台の正面から示す図である。
【図１７】図１７は、本実施形態に係る第２の映写形式における移動式スクリーン装置を架台の側方から示す図である。
【図１８】図１８は、本実施形態に係り、支持アームに対する反射板の着脱の一例を示す図である。
【図１９】図１９は、本実施形態に係り、回転軸ＲＲ１周りの反射板の回転動作の一例を示す図である。
【図２０】図２０は、本実施形態に係り、スクリーンに対する支持アームの移動（スライド）の一例を示す図である。
【図２１】図２１は、本実施形態に係り、ボアに挿入される前の天板に載置された患者と、ボアの寝台側の端部に配置された移動式スクリーン装置とを、架台の側方から示す図である。
【図２２】図２２は、本実施形態に係り、図２１において第１の角度で配置された反射板と、患者の眼とを模式的に示す図である。
【図２３】図２３は、本実施形態に係り、図２１および図２２において、ビームスプリッタの背面に配置されたフィルムの画像の一例を示す図である。
【図２４】図２４は、本実施形態に係り、第２の角度で配置された反射板と、患者の眼とを模式的に示す図である。
【図２５】図２５は、本実施形態に係り、図２４において、ビームスプリッタの背面に配置されたフィルムの画像の一例を示す図である。
【図２６】図２６は、本実施形態の応用例２に係り、第１の配置形態において、第１の角度で配置された反射板を有する移動式スクリーン装置の一例を示す図である。
【図２７】図２７は、本実施形態の応用例２に係り、支持アームが寝台側にスライドされた時点における移動式スクリーン装置の一例を示す図である。
【図２８】図２８は、本実施形態の応用例２に係り、光源への電流の供給が遮断された状態における移動式スクリーン装置の一例を示す図である。
【図２９】図２９は、本実施形態の本応用例２の反射状態変更機能に関する処理の手順の一例を示すフローチャートである。
【図３０】図３０は、本実施形態の応用例３に係り、第１の角度で配置された反射板を有する移動式スクリーン装置の側面の一例を示す側面図である。
【図３１】図３１は、本実施形態の応用例３に係り、第２の角度で配置された反射板を有する移動式スクリーン装置の側面の一例を示す側面図である。
【図３２】図３２は、本実施形態の応用例３に係り、第１対物レンズが支持アームに設けられ、第１の角度に配置された反射板の一例を示す図である。
【図３３】図３３は、本実施形態の応用例３に係り、第１対物レンズが支持アームに設けられ、第２の角度に配置された反射板の一例を示す図である。
【図３４】図３４は、本実施形態の応用例３に係り、第１カメラが支持アームに搭載され、かつ反射板が第２の角度に配置された場合における第１カメラの視野と、第２カメラの視野との一例を示す図である。
【図３５】図３５は、本実施形態の応用例３に係り、図２１における患者の顔画像が表示されたタッチパネルを、架台の寝台側からみた正面図である。
【図３６】図３６は、本実施形態の応用例４に係り、第１の角度で配置された反射板６７を有する移動式スクリーン装置１５の側面の一例を示す側面図である。
【図３７】図３７は、本実施形態の応用例４に係り、第２の角度で配置された反射板６７を有する移動式スクリーン装置１５の側面図である。
【図３８】図３８は、本実施形態の応用例５に係り、第１の配置形態であって、配置状態として第１の角度に反射板が配置された場合における検査室およびボア内の照明状態の一例を示す図である。
【図３９】図３９は、本実施形態の応用例５に係り、配置状態として第２の角度に反射板６７が配置された場合における検査室およびボア５３内の照明状態の一例を示す図である。
【図４０】図４０は、本実施形態の応用例６に係り、第１の配置形態であって、配置状態として第１の角度に反射板が配置された場合における発光器の照明状態の一例を示す図である。
【図４１】図４１は、本実施形態の応用例７に係る移動式スクリーン装置１５の側面図である。
【発明を実施するための形態】
【０００７】
ＭＲ検査におけるストレスを軽減するための技術として、次のような技術が考えられる。例えば、１．ゴーグルタイプのヘッドマウントディスプレイ、２．検査室の天井や壁への液晶モニタの設置、３．架台後方に配置された液晶モニタの映像を見るための鏡が取付けられたヘッドコイル、４．患者の頭部の後方に設けられたスクリーンに投影された映像を見るための鏡を有しボア内において移動可能な移動体がある。しかしながら、１の技術の場合、ヘッドマウントディスプレイを患者に取り付けることにより患者に圧迫感及び閉塞感を与えてしまう。２の技術の場合、患者の頭部が架台内に入ると液晶モニタの映像を見ることができない。
【０００８】
３の技術の場合、ＭＲ撮像中はヘッドコイルに装着された鏡を介して映像を見ることができるのでボアによる閉塞感を軽減することができる。しかし、鏡をヘッドコイル毎に取り付けなければならない。また、頭部を覆うヘッドコイルの隙間に鏡が取り付けられているため患者は映像の広がりをあまり感じることができない。また、架台の後方に液晶モニタが設置され架台の前方を隠すものはないため、患者はＭＲ撮像前において架台外にいるときにボアを容易に視認できてしまい、その後にたとえヘッドコイルを付けて鏡を介して映像を見ていてもボア内に居る感覚を拭い去ることはできない。更に、鏡と液晶モニタとの位置関係が天板の移動と共に変わるため、天板の移動中に鏡を介して液晶モニタの映像を見ていても患者はボア内を進む感覚も残存する。
【０００９】
４の技術の場合、天板に載置された患者の視角範囲に、水平状態の鏡が引き出される。このとき、鏡には患者自身の顔が映るため、患者が不快感を抱く場合がある。また、患者頭部を撮影するために位置決めを行う場合、投光器の下方に患者頭部を移動させる必要がある。このため、患者は、鏡を介して、スクリーンに投影された映像を視認できないことがある。これらにより、４の技術の場合においても、検査空間における快適性が損なわれることがある。
【００１０】
以下、図面を参照しながら本実施形態に係わる医用画像診断装置及び磁気共鳴イメージング装置を説明する。
【００１１】
図１は、本実施形態に係る医用画像診断装置１０を含む医用画像診断システム１の構成を示す図である。図１に示すように、医用画像診断システム１は、互いに有線又は無線で通信可能に接続された医用画像診断装置１０と映写機１００と映写機制御装置２００とを含む。医用画像診断装置１０は、架台１１、寝台１３、移動式スクリーン装置（映像投影装置）１５及び撮像制御ユニット１７を有する。例えば、架台１１、寝台１３及び移動式スクリーン装置１５は、検査室に設置され、撮像制御ユニット１７は、検査室に隣接する制御室に設置される。
【００１２】
架台１１は、医用撮像を実現するための機構を装備する。架台１１には中空形状を有するボアが形成されている。架台１１の前方には寝台１３が設置されている。寝台１３は被検体（以下、一例として患者Ｐ）が載置される天板を移動自在に支持する。寝台１３は架台１１及びコンソール等による制御に従い天板を移動する。架台１１のボア内には移動式スクリーン装置１５が移動可能に設けられている。架台１１の前方又は後方には映写機１００が設置されている。移動式スクリーン装置１５には映写機１００からの映像が投影される。
【００１３】
映写機制御装置２００は、映写機１００を制御するコンピュータ装置である。映写機制御装置２００は、映写対象の映像に関するデータを映写機１００に供給する。映写機１００は、映写機制御装置２００からのデータに対応する映像を移動式スクリーン装置１５のスクリーンに投影する。映写機１００としては、例えば、液晶方式やＤＬＰ（Ｄｉｇｉｔａｌ  Ｌｉｇｈｔ  Ｐｒｏｃｅｓｓｉｎｇ）方式、ＬＣＯＳ（Ｌｉｑｕｉｄ  Ｃｒｙｓｔａｌ  Ｏｎ  Ｓｉｌｉｃｏｎ）方式、ＧＬＶ（Ｇｒａｔｉｎｇ  Ｌｉｇｈｔ  Ｖａｌｖｅ）方式等が用いられると良い。
【００１４】
この場合、映写機１００は、少なくとも表示機器と光源とを搭載する。表示機器は、映写機制御装置２００からのデータに対応する映像を表示する。光源は直接的又は光学系を介して間接的に表示機器に光を照射する。表示機器から透過又は反射した光（以下、投影光と呼ぶ）は、直接的又は光学系を介して間接的に映写機１００の外部に射出される。投影光が移動式スクリーン装置１５に照射されることにより、当該投影光に対応する映像が移動式スクリーン装置１５に映し出される。
【００１５】
撮像制御ユニット１７は、医用画像診断装置１０の中枢として機能する。例えば、撮像制御ユニット１７は、医用撮像を行うために架台１１を制御する。また、撮像制御ユニット１７は、医用撮像において架台１１により収集された生データに基づいて患者Ｐに関する医用画像を再構成する。なお、撮像制御ユニット１７は、映写機制御装置２００を介して映写機１００を制御可能に構成されても良い。また、撮像制御ユニット１７は、映写対象の映像に関するデータを映写機１００に供給しても良い。この場合、映写機１００は、撮像制御ユニット１７からのデータに対応する映像を移動式スクリーン装置１５のスクリーンに投影する。
【００１６】
なお、本実施形態における医用画像診断システム１の構成は上記のみに限定されない。例えば、上記の映写機制御装置２００による映写機１００を制御する機能を撮像制御ユニット１７が有しているのであれば、映写機制御装置２００は医用画像診断システム１に設ける必要はない。
【００１７】
本実施形態に係る医用画像診断システム１は、映写機１００と移動式スクリーン装置１５とを利用して、医用画像診断装置１０による医用撮像時におけるボア内における居住性を高めることを可能にする。本実施形態に係る医用画像診断装置１０としては、ボアが形成された架台１１を用いて患者Ｐを撮像可能な如何なる装置でも良い。具体的には、本実施形態に係る医用画像診断装置１０としては、磁気共鳴イメージング（ＭＲＩ：Ｍａｇｎｅｔｉｃ  Ｒｅｓｏｎａｎｃｅ  Ｉｍａｇｉｎｇ）装置、Ｘ線コンピュータ断層撮影（ＣＴ：Ｃｏｍｐｕｔｅｄ  Ｔｏｍｏｇｒａｐｈｙ）装置、ＰＥＴ（Ｐｏｓｉｔｒｏｎ  Ｅｍｉｓｓｉｏｎ  Ｔｏｍｏｇｒａｐｈｙ）装置及びＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）装置等の単一モダリティに適用可能である。
【００１８】
或いは、本実施形態に係る医用画像診断装置１０としては、ＭＲ／ＰＥＴ装置、ＣＴ／ＰＥＴ装置、ＭＲ／ＳＰＥＣＴ装置、ＣＴ／ＳＰＥＣＴ装置等の複合モダリティに適用されても良い。しかしながら、以下の説明を具体的に行うため、本実施形態に係る医用画像診断装置１０は、磁気共鳴イメージング装置１０であるとする。また、磁気共鳴イメージング装置１０と映写機１００と映写機制御装置２００とを含む医用画像診断システム１を磁気共鳴イメージングシステム１と呼ぶことにする。
【００１９】
図２は、本実施形態に係る磁気共鳴イメージング装置１０の構成を示す図である。図２に示すように、磁気共鳴イメージング装置１０は、撮像制御ユニット１７、架台１１、寝台１３及び移動式スクリーン装置１５を有する。撮像制御ユニット１７は、傾斜磁場電源２１、送信回路２３、受信回路２５及びコンソール２７を有する。コンソール２７は、撮像制御回路３１、再構成回路３２、画像処理回路３３、通信回路３４、表示回路３５、入力回路３６、主記憶回路３７及びシステム制御回路３８を有する。
【００２０】
撮像制御回路３１、再構成回路３２、画像処理回路３３、通信回路３４、表示回路３５、入力回路３６、主記憶回路３７及びシステム制御回路３８は、互いにバスを介して通信可能に接続されている。傾斜磁場電源２１、送信回路２３及び受信回路２５は、コンソール２７と架台１１とは別個に設けられている。
【００２１】
架台１１は、静磁場磁石４１、傾斜磁場コイル４３、ＲＦコイル４５、外装照明器５６と、ボア内照明器５８と、投光器５９とを有する。また、静磁場磁石４１と傾斜磁場コイル４３とは架台１１の筐体（以下、架台筐体と呼ぶ）５１に収容されている。架台筐体５１には中空形状を有するボア５３が形成されている。架台筐体５１のボア５３内にＲＦコイル４５が配置される。また、架台筐体５１のボア５３内に本実施形態に係る移動式スクリーン装置１５が配置される。外装照明器５６と、ボア内照明器５８と、投光器５９とについては、後ほど詳述する。
【００２２】
静磁場磁石４１は、中空の略円筒形状を有し、略円筒内部に静磁場を発生する。静磁場磁石４１としては、例えば、永久磁石、超伝導磁石または常伝導磁石等が使用される。ここで、静磁場磁石４１の中心軸をＺ軸に規定し、Ｚ軸に対して鉛直に直交する軸をＹ軸と呼び、Ｚ軸に水平に直交する軸をＸ軸と呼ぶことにする。Ｘ軸、Ｙ軸、及びＺ軸は、直交３次元座標系を構成する。
【００２３】
傾斜磁場コイル４３は、静磁場磁石４１の内側に取り付けられ、中空の略円筒形状に形成されたコイルユニットである。傾斜磁場コイル４３は、傾斜磁場電源２１からの電流の供給を受けて傾斜磁場を発生する。
【００２４】
傾斜磁場電源２１は、撮像制御回路３１による制御に従い傾斜磁場コイル４３に電流を供給する。傾斜磁場電源２１は、傾斜磁場コイル４３に電流を供給することにより、傾斜磁場コイル４３に傾斜磁場を発生させる。
【００２５】
ＲＦコイル４５は、傾斜磁場コイル４３の内側に配置され、送信回路２３からＲＦパルスの供給を受けて高周波磁場を発生する。また、ＲＦコイル４５は、高周波磁場の作用を受けて患者Ｐ内に存在する対象原子核から発せられる磁気共鳴信号（以下、ＭＲ信号と呼ぶ）を受信する。受信されたＭＲ信号は、有線又は無線を介して受信回路２５に供給される。なお、上述のＲＦコイル４５は、送受信機能を有するコイルであるとしたが、送信用ＲＦコイルと受信用ＲＦコイルとが別々に設けられても良い。
【００２６】
送信回路２３は、患者Ｐ内に存在する対象原子核を励起するための高周波磁場を、ＲＦコイル４５を介して患者Ｐに送信する。対象原子核としては、典型的には、プロトンが用いられる。具体的には、送信回路２３は、撮像制御回路３１による制御に従って、対象原子核を励起するための高周波信号（ＲＦ信号）をＲＦコイル４５に供給する。
【００２７】
ＲＦコイル４５から発生された高周波磁場は、対象原子核に固有の共鳴周波数で振動し、対象原子核を励起させる。励起された対象原子核からＭＲ信号が発生され、ＲＦコイル４５により検出される。検出されたＭＲ信号は、受信回路２５に供給される。
【００２８】
受信回路２５は、励起された対象原子核から発生されるＭＲ信号を、ＲＦコイル４５を介して受信する。受信回路２５は、受信されたＭＲ信号を信号処理してデジタルのＭＲ信号を発生する。デジタルのＭＲ信号は、有線又は無線を介して再構成回路３２に供給される。
【００２９】
架台１１に隣接して寝台１３が設置される。寝台１３は、天板１３１と基台１３３とを有する。天板１３１には患者Ｐが載置される。基台１３３は、天板１３１をＸ軸、Ｙ軸、Ｚ軸各々に沿ってスライド可能に支持する。基台１３３には寝台駆動装置１３５が収容される。寝台駆動装置１３５は、撮像制御回路３１からの制御を受けて天板１３１を移動する。寝台駆動装置１３５としては、例えば、サーボモータやステッピングモータ等の如何なるモータが用いられても良い。
【００３０】
撮像制御回路３１は、ハードウェア資源として、ＣＰＵ（Ｃｅｎｔｒａｌ  Ｐｒｏｃｅｓｓｉｎｇ  Ｕｎｉｔ）あるいはＭＰＵ（Ｍｉｃｒｏ  Ｐｒｏｃｅｓｓｉｎｇ  Ｕｎｉｔ）のプロセッサとＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等のメモリとを有する。撮像制御回路３１は、システム制御回路３８から供給されるパルスシーケンス情報に基づいて、傾斜磁場電源２１、送信回路２３及び受信回路２５を同期的に制御し、当該パルスシーケンス情報に応じたパルスシーケンスで患者Ｐを撮像する。
【００３１】
再構成回路３２は、ハードウェア資源として、ＣＰＵやＧＰＵ（Ｇｒａｐｈｉｃａｌ  ｐｒｏｃｅｓｓｉｎｇ  ｕｎｉｔ）、ＭＰＵ等のプロセッサとＲＯＭやＲＡＭ等のメモリとを有する。再構成回路３２は、受信回路２５からのＭＲ信号に基づいて患者Ｐに関するＭＲ画像を再構成する。例えば、再構成回路３２は、ｋ空間または周波数空間に配置されたＭＲ信号にフーリエ変換等を施して実空間で定義されたＭＲ画像を発生する。
【００３２】
なお、再構成回路３２は、再構成機能を実現する特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）やフィールド・プログラマブル・ゲート・アレイ（Ｆｉｅｌｄ  Ｐｒｏｇｒａｍｍａｂｌｅ  Ｌｏｇｉｃ  Ｄｅｖｉｃｅ：ＦＰＧＡ）、他の複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）により実現されても良い。
【００３３】
画像処理回路３３は、ハードウェア資源として、ＣＰＵ、ＧＰＵ、ＭＰＵ等のプロセッサとＲＯＭやＲＡＭ等のメモリとを有する。画像処理回路３３は、再構成回路３２により再構成されたＭＲ画像に種々の画像処理を施す。なお画像処理回路３３は、上記画像処理機能を実現するＡＳＩＣやＦＰＧＡ、ＣＰＬＤ、ＳＰＬＤにより実現されても良い。
【００３４】
通信回路３４は、図示しない有線又は無線を介して映写機制御装置２００又は映写機１００との間でデータ通信を行う。また、通信回路３４は、図示しないネットワーク等を介して接続されたＰＡＣＳサーバ等の外部装置との間でデータ通信を行っても良い。また、通信回路３４は、移動式スクリーン装置１５に取り付けられた後述の機器との間でデータ通信を行っても良い。
【００３５】
表示回路３５は、種々の情報を表示する。例えば、表示回路３５は、再構成回路３２により再構成されたＭＲ画像や画像処理回路３３により画像処理が施されたＭＲ画像を表示する。また、表示回路３５は、映写機１００により映写される映像を表示しても良い。具体的には、表示回路３５は、表示インタフェース回路と表示機器とを有する。表示インタフェース回路は、表示対象を表すデータをビデオ信号に変換する。表示信号は、表示機器に供給される。表示機器は、表示対象を表すビデオ信号を表示する。
【００３６】
表示機器としては、例えば、ＣＲＴディスプレイや液晶ディスプレイ、有機ＥＬディスプレイ、ＬＥＤディスプレイ、プラズマディスプレイ、又は当技術分野で知られている他の任意のディスプレイが適宜利用可能である。
【００３７】
なお、表示機器は、コンソール２７の他に、例えば、架台筐体５１の外装面にさらに設けられてもよい。このとき、表示機器の前面には、感圧式、光位置検出式、静電気式などのポインティングデバイス等の入力機器が設けられる。例えば、架台筐体５１の寝台１３側における外装面には、表示機器とポインティングデバイスとを一体化させたタッチパネル（映像表示モニタ：タッチスクリーンともいう）が設けられてもよい。
【００３８】
入力回路３６は、具体的には、入力機器と入力インタフェース回路とを有する。入力機器は、ユーザからの各種指令を受け付ける。入力機器としては、キーボードやマウス、各種スイッチ等が利用可能である。入力インタフェース回路は、入力機器からの出力信号を、バスを介してシステム制御回路３８に供給する。なお、入力回路３６は、マウス、キーボードなどの物理的な操作部品を備えるものだけに限らない。例えば、磁気共鳴イメージング装置１０とは別体に設けられた外部の入力機器から入力操作に対応する電気信号を受け取り、受け取った電気信号を種々の回路へ出力するような電気信号の処理回路も入力回路３６の例に含まれる。
【００３９】
主記憶回路３７は、種々の情報を記憶するＨＤＤ（ｈａｒｄ  ｄｉｓｋ  ｄｒｉｖｅ）やＳＳＤ（ｓｏｌｉｄ  ｓｔａｔｅ  ｄｒｉｖｅ）、集積回路記憶装置等の記憶装置である。また、主記憶回路３７は、ＣＤ−ＲＯＭドライブやＤＶＤドライブ、フラッシュメモリ等の可搬性記憶媒体との間で種々の情報を読み書きする駆動装置等であっても良い。例えば、主記憶回路３７は、ＭＲ画像や磁気共鳴イメージング装置１０の制御プログラム等を記憶する。
【００４０】
システム制御回路３８は、ハードウェア資源として、ＣＰＵあるいはＭＰＵのプロセッサとＲＯＭやＲＡＭ等のメモリとを有する。システム制御回路３８は、磁気共鳴イメージング装置１０の中枢として機能する。具体的には、システム制御回路３８は、主記憶回路３７に記憶されている制御プログラムを読み出してメモリ上に展開し、展開された制御プログラムに従って磁気共鳴イメージング装置１０の各部を制御する。
【００４１】
システム制御回路３８は、後述する検出器からの検出結果に基づいて、移動式スクリーン装置１５が配置された空間（ボア５３内の検査空間、検査室等）における照明状態および音響状態と、ボア５３内を光学的に撮影する撮影状態と、後述する反射板の反射状態とのうち少なくとも一つの状態を変更するために、各ユニットを制御する。このとき、システム制御回路３８は、後述する状態変更機能３８１を実現する状態変更部として機能する。状態変更機能３８１については、後ほど詳述する。
【００４２】
以下、本実施形態の磁気共鳴イメージング装置１０について詳細に説明する。  
まず、図３を参照しながら、本実施形態に係る磁気共鳴イメージングシステム１の設置環境について説明する。図３は、本実施形態に係る磁気共鳴イメージングシステムの設置環境の一例を示す図である。図３に示すように、ＭＲ撮像が行われる検査室３００と検査室３００に隣接する制御室４００とが設けられる。検査室３００内部には架台１１と寝台１３と検査室照明器３１０とが設置されている。架台１１の前方に寝台１３が設けられている。架台１１のボアには移動式スクリーン装置１５が設けられている。
【００４３】
検査室３００は、架台１１からの漏洩磁場や外部からの電磁場等を遮蔽可能なシールドルームである。検査室３００には入退室のためのドアＤ１が設けられている。また、検査室３００と制御室４００との間には、検査室３００と制御室４００との間の往来のためのドアＤ２が設けられている。制御室４００にはコンソール２７と映写機１００と映写機制御装置２００とが設置されている。映写機１００は、検査室３００と制御室４００との間の壁５００を隔てて架台１１の後方に設置される。
【００４４】
検査室照明器３１０は、図３に示すように、検査室３００の任意の位置に少なくとも一つ設置される。検査室照明器３１０は、少なくとも一つの発光ダイオード（ＬＥＤ：ｌｉｇｈｔ−ｅｍｉｔｔｉｎｇ  ｄｉｏｄｅ）を有する。なお、検査室照明器３１０は、複数の色相の光をそれぞれ発生する複数の発光ダイオードを有していてもよい。
【００４５】
検査室照明器３１０は、システム制御回路３８による制御、または検査室３００を囲む壁等に設置された不図示のスイッチ等の操作のもとで、任意の色相および任意の明るさの光を発生する。なお、検査室照明器３１０における光源としては、発光ダイオードの代わりに、任意の発光機器（例えば、非磁性または防磁性を有する蛍光管等）が用いられてもよい。
【００４６】
なお、検査室照明器３１０は、発光ダイオードにより発生された光を拡散および反射させる光学素子を有していてもよい。このとき、検査室照明器３１０は、拡散光及び反射光により検査室内を照射する。システム制御回路３８による検査室照明器３１０の制御については、後程、照明状態変更機能３８４において説明する。
【００４７】
壁５００のうちの、映写機１００から移動式スクリーン装置１５に向かう投影光ＬＰが伝播する部分には当該投影光ＬＰが透過可能な窓５１０が設けられている。窓５１０を介して、制御室４００に設置された映写機１００から検査室３００の移動式スクリーン装置１５に投影光ＬＰを伝播させることができる。制御室４００にも入退室のためのドアＤ３が設けられると良い。
【００４８】
なお、上記のレイアウトは一例であってこれに限定されるものではない。例えば、映写機１００と映写機制御装置２００とコンソール２７とが制御室４００に設置されるとしたが、コンソール２７と映写機制御装置２００とは映写機１００とは異なる別の部屋に設置されても良い。また、映写機１００を磁場による影響を受けない材料で形成できるのであれば、映写機１００を検査室３００に設けても良い。また、検査室３００と制御室４００との他に、傾斜磁場電源２１や受信回路２５を設置するための機械室等が設けられても良い。
【００４９】
次に、図４を参照しながら架台１１の外観について説明する。図４は、本実施形態に係る架台筐体５１の斜視図である。図４に示すように、架台筐体５１には中空形状のボア５３が形成される。架台筐体５１のボア５３の下部には、ボア５３の中心軸Ｚに平行するレール５５が形成されている。
【００５０】
レール５５は、天板１３１と移動式スクリーン装置１５との中心軸Ｚに沿うスライドを案内する構造物である。レール５５は、ボア５３に接する架台筐体５１の内壁５７に設けられる。レール５５は、磁気共鳴撮像に利用される磁場に作用しない非磁性材料により形成される。ここで、Ｚ軸に関して寝台側から映写機側に向かう方向を＋Ｚ軸方向に規定し、映写機側から寝台側に向かう方向を−Ｚ軸方向に規定する。
【００５１】
外装照明器５６は、架台筐体５１の外装面に設けられる。外装照明器５６は、例えば、少なくとも一つの発光ダイオードと、光学素子とを有する。外装照明器５６は、複数の色相の光をそれぞれ発生する複数の発光ダイオードを有していてもよい。このとき、外装照明器５６は、システム制御回路３８による制御、または架台筐体５１の外装面等に設けられたスイッチ等の操作のもとで、任意の色相および任意の明るさの光を発生する。
【００５２】
なお、外装照明器５６の光源としては、発光ダイオードの代わりに、任意の発光機器（例えば、非磁性または防磁性を有する蛍光管等）が用いられてもよい。光学素子は、発光ダイオードにより発生された光を反射、拡散させる。光学素子により、外装照明器５６は、発光ダイオードで発生された光を、架台筐体５１の外装面に照射する。
【００５３】
外装照明器５６は、例えば、寝台１３側の外装面において、架台筐体５１のフレア（ｆｌａｒｅ）部分を取り囲むように、外装面の端部（外周）近傍に設置される。このとき、外装照明器５６は、図４に示すように、架台筐体５１と寝台１３との接続部分を除いた略Ｃ形状を有する。外装照明器５６は、架台筐体５１の外装面に向けて、光を照射する。外装照明器５６により発生される光の明るさ、色相等は、システム制御回路３８により制御される。システム制御回路３８による外装照明器５６の制御については、照明状態変更機能３８４において説明する。
【００５４】
ボア内照明器５８は、架台筐体５１のボア５３の下部においてボア５３の中心軸Ｚに平行に形成されたレール５５の表面に配置される。例えば、ボア内照明器５８は、図４に示すようなレール５５上面の側部５８１に、中心軸Ｚに沿って配置される。なお、ボア内照明器５８が設けられる位置は、ボア５３の下部、レール等に限定されない。また、ボア内照明器５８は、発光ダイオードにより発生された光を拡散させる光学素子を有していてもよい。このとき、ボア内照明器５８は、拡散光によりボア５３内を照射する。
【００５５】
ボア内照明器５８は、中心軸Ｚに沿った複数の発光ダイオードを有する。ボア内照明器５８は、複数の色相の光をそれぞれ発生する複数の発光ダイオードを有していてもよい。このとき、ボア内照明器５８は、システム制御回路３８による制御、または架台筐体５１の外装面等に設けられたスイッチ等の操作のもとで、任意の色相および任意の明るさの光を発生する。なお、ボア内照明器の光源は、発光ダイオードの代わりに、任意の発光機器が用いられてもよい。システム制御回路３８によるボア内照明器５８の制御については、照明状態変更機能３８４において説明する。
【００５６】
投光器５９は、架台筐体５１の外装面に設けられる。具体的には、投光器５９は、図４に示すように、寝台１３側のボア５３の開口部分であって、ボア５３の最上端に設けられる。なお、投光器５９は、寝台１３側における架台筐体５１のフレア部分等に設けられてもよい。投光器５９は、入力回路３６を介したユーザの指示により、所定の波長の光を、略下方のレール５５に向けて照射する。投光器５９により照射された光は、磁場中心位置（アイソセンタとも言う）に患者の撮像対象部位を移動させるための位置合わせとして用いられる。
【００５７】
図４に示すように、投光器５９は、例えば、Ｚ軸およびＹ軸に沿った所定の幅で、所定の波長の光（以下、位置合わせ光と呼ぶ）を照射する。このとき、Ｚ軸に沿った位置合わせ光により規定される面と、Ｙ軸に沿った位置合わせ光により規定される面との交線５９１は、投光器５９の直下に位置する。例えば、交線（以下、交線光と呼ぶ）５９１は、鉛直方向に平行であって、ボア５３内において、投光器５９を通る線分に相当する。
【００５８】
投光器５９は、天板１３１に載置された患者に対して、位置合わせ光を照射する。このとき、入力回路３６を介したユーザの指示により位置合わせ指示が入力されると、交線光に照らされた患者の位置、すなわち位置合わせ指示の入力時点における天板１３１の位置（以下、天板位置と呼ぶ）が、システム制御回路３８に出力される。次いで、システム制御回路３８は、ユーザにより指定された位置に対応する天板位置をボア５３内の磁場中心位置に移動させるために、撮像制御回路３１を介して寝台駆動装置１３５を制御する。これにより、ユーザが所望する撮像対象部位は、ボア５３内における磁場中心位置に移動される。
【００５９】
次に図５、図６、図７及び図８を参照しながら移動式スクリーン装置１５の構造について説明する。図５は、本実施形態に係る移動式スクリーン装置１５の斜視図である。図６は、移動式スクリーン装置１５の側面図である。図７は、移動式スクリーン装置１５の正面図である。図８は、連結した移動式スクリーン装置１５と天板１３１との斜視図である。
【００６０】
図５、図６、図７及び図８に示すように、移動式スクリーン装置１５は、移動台車６１、スクリーン６３、支持アーム６５及び反射板６７を有する。移動台車６１は、架台筐体５１の内壁５７に設けられたレール５５に沿って移動する構造体である。移動台車６１の下部には、レール５５における走行性を高めるため、レール５５を転がる車輪（図示せず）が取り付けられている。
【００６１】
なお、移動台車６１がレール５５を走行可能であれば、必ずしも車輪が設けられる必要は無く、レール５５に接触する面が低摩擦係数を有する材料により形成されれば良い。移動台車６１とレール５５とは、移動台車６１がボア５３の寝台１３側（−Ｚ側）の端部から映写機１００側（＋Ｚ側）の端部まで移動可能に形成される。移動台車６１の底面は、レール５５に嵌合可能な形状を有すると良い。移動台車６１とレール５５とが係合することにより、移動台車６１がボア５３の端部に配置された状態において外部から架台１１を見た場合、レール５５を目立たなくさせることができる。移動台車６１は、スクリーン６３と支持アーム６５とを支持する。移動台車６１は、樹脂等の磁場に作用しない非磁性材料により形成される。
【００６２】
図５に示すように、移動台車６１には天板１３１に連結するための連結部６９が形成されている。連結部６９により、図８に示すように、移動台車６１と天板１３１とが連結する。天板１３１の前方部（＋Ｚ軸方向側）には患者固定具１３７が取り付けられている。患者固定具１３７は、天板１３１に載置された患者Ｐの頭部を固定する。患者固定具１３７は、天板１３１に仰向けに載置された患者Ｐの視界を遮ることのなく後頭部を覆うことが可能なように湾曲形状を有している。すなわち、患者固定具１３７の前頭部側は開放されている。よって患者固定具１３７は、頭部全体を覆う固定部に比して、患者Ｐの閉塞感を軽減し、また、患者Ｐの視野の狭窄を軽減することができる。患者固定具１３７は、例えば、上記形状を有する金型を用いて樹脂等の非磁性材料により一体的に成型される。
【００６３】
図５、図６、図７及び図８に示すように、スクリーン６３は、移動台車６１に立設されている。スクリーン６３には図示しない映写機１００からの映像が投影される。スクリーン６３は、移動台車６１に対して傾き可能に設けられている。具体的には、移動台車６１に設けられた傾動機構（図示せず）により傾動可能に設けられている。移動台車６１の表面に対するスクリーン６３の傾き角度を調節することにより、スクリーン６３は移動台車６１の表面に対して垂直又は所定の傾斜角度で保持される。上記の通り、映写機１００は、スクリーン６３を挟んで寝台１３とは反対側に配置される。
【００６４】
ここで、スクリーン６３の映写機１００側の面を裏面、寝台１３側の面を表面と呼ぶことにする。表面に映像を映し出すため、スクリーン６３は半透明の材料で形成されると良い。このような半透明の材料としては、半透明のプラスチックや磨りガラス等が用いられると良い。スクリーン６３が半透明材料により形成されることにより、映写機１００から射出された投影光はスクリーンの裏面に照射され、投影光に対応する映像が表面に映し出される。これにより患者Ｐ等は、寝台１３側から、表面に映し出された映像を見ることができる。
【００６５】
スクリーン６３は、平面形状を有する型式であっても曲面形状を有する型式であっても良い。曲面形状を有する場合、凹面が寝台１３側を向く、すなわち、表面を成すように配置されると良い。凹面が寝台１３側を向くことにより、天板１３１に載置された患者Ｐの頭部の後方周辺をスクリーン６３で覆うことが可能となる。これにより患者Ｐの視野をスクリーン６３に映し出された映像で満たし、映像に没入させることが可能となる。
【００６６】
図９は、ボア５３内に配置されたスクリーン６３の模式的な正面図である。図９に示すように、スクリーン６３は、架台筐体５１のボア５３に接する内壁５７の径ＲＢよりも小さい外径ＲＳを有する。このように外径ＲＳを内径ＲＢよりも小さく設計することにより、移動式スクリーン装置１５をボア５３内に挿入することができる。
【００６７】
なお、ボア５３内には架台１１に設けられた換気ファン（図示せず）から風が流れている。スクリーン６３の縁と内壁５７との間に隙間Ｇ１が設けられることにより、換気ファンから送り出される風がスクリーン６３により遮られることを防止することができる。外径ＲＳとしては、例えば、内径ＲＢよりも１０ｍｍから５０ｍｍ小さく設計されると良い。換言すれば、隙間Ｇ１は、１０ｍｍから５０ｍｍに設計されると良い。
【００６８】
図５、図６、図７及び図８に示すように、支持アーム６５は移動台車６１に取り付けられる。後述するように、支持アーム６５は、Ｚ軸方向に関してスライド可能に移動台車６１に取り付けられている。支持アーム６５は、反射板６７をスクリーン６３の表面側の空間に配置するように支持する。なお、支持アーム６５は、反射板６７を着脱可能に支持してもよい。
【００６９】
反射板６７は、移動台車６１と天板１３１とが連結されている状態において、天板１３１に載置された患者Ｐの頭部にぶつからない程度に、移動台車６１の表面から離間して支持アーム６５により支持される。支持アーム６５は、架台１１の外部からスクリーン６３を見た場合に当該外部観察者の視界を遮らないような形状を有している。当該外部観察者の視界を遮らないため、支持アーム６５は、図５、図６、図７及び図８に示すように、スクリーン６３の輪郭に沿った円弧部分を有する半環形状又は半鞍形状を有すると良い。この場合、支持アーム６５の両端が移動台車６１の側部に取り付けられ、支持アーム６５の円弧部分がスクリーン６３の表面側の空間に位置するように、支持アーム６５が移動台車６１に取り付けられる。
【００７０】
なお、支持アーム６５の形状は上記の半円環形状又は半鞍形状に限定されず、反射板６７をスクリーン６３の表面側の空間に配置可能であれば如何なる形状を有していても良い。例えば、支持アーム６５は、略棒形状を有する一対のアームにより構成されても良い。この場合、当該一対のアームの一端が移動台車６１の両側部に取り付けられ、他端に反射板６７が取り付けられると良い。
【００７１】
図５、図６、図７及び図８に示すように、反射板６７は、支持アーム６５の略最上部に設けられている。図１０は、反射板６７の構成の一例を示す断面図である。図１０における反射板６７の断面は、Ｚ軸に垂直な面に相当する。なお、図１０は、Ｘ軸に垂直な面であってもよい。図１０に示すように、反射板６７は、複数の非磁性材料により構成される。具体的には、反射板６７は、ビームスプリッタ６７１と、フィルム６７２と、導光板６７３と、光源６７４と、ベースカバー６７５とを有する。
【００７２】
ビームスプリッタ６７１は、所定の透過率と所定の反射率とを有する。ビームスプリッタ６７１は、例えば、誘電体膜を付着させたハーフミラーである。ビームスプリッタ６７１の前面よりビームスプリッタ６７１の背面が明るければ、患者Ｐは、ビームスプリッタ６７１の背面を視認することができる。一方、ビームスプリッタ６７１の前面よりビームスプリッタ６７１の背面が暗ければ、ビームスプリッタ６７１は、鏡として機能する。
【００７３】
ビームスプリッタ６７１の背面には、フィルム６７２が設置される。フィルム６７２は、導光板６７３により発生された光６７３１を透過する。フィルム６７２には、所定の画像が設けられている。なお、所定の画像は、フィルム６７２に印刷されてもよいし、貼付されてもよい。所定の画像とは、例えば、写真、広告、ロゴマーク、検査等に関する注意事項の説明などである。また、フィルムは、画像が設けられる代わりに、単色のフィルムであってもよい。
【００７４】
フィルム６７２の背面には、導光板６７３が設置される。すなわち、導光板６７３は、ビームスプリッタの非天板側である背面に設けられる。導光板６７３は、透明な樹脂、例えば、アクリル板、ポリカーボネイト等により構成される。導光板６７３の表面には、所望の発光パターンを実現するためのパターン設計に対応する加工が施される。導光板６７３は、光源６７４により発生された光により発光する。導光板６７３において発光した光６７３１は、フィルム６７２とビームスプリッタ６７１とを透過して、反射板６７の外部に射出する。
【００７５】
光源６７４は、導光板６７３の少なくとも一端に配置される。好適には、光源６７４は、導光板６７３の周囲に配置される。光源６７４は、例えば、発光ダイオードである。なお、光源６７４は、発光ダイオードに限定されず任意の発光機器であってもよい。光源６７４の点灯（ＯＮ）および消灯（ＯＦＦ）は、システム制御回路３８により制御される。光源６７４のＯＮおよびＯＦＦの制御については、後述する反射状態変更機能３８２において説明する。
【００７６】
ベースカバー６７５は、図１０に示すように、ビームスプリッタ６７１と、フィルム６７２と、導光板６７３と、光源６７４とを取り囲んで支持する基材である。ベースカバー６７５において対向する２つの側面には、支持アーム６５に回転可能に接続される回転軸ＲＲ１が設けられる。
【００７７】
図１１は、図１０とは異なる構成の反射板６７の一例を示す断面図である。図１１において、光源６７４とベースカバー６７５とは不図示となっている。図１１と図１０との相違は、ビームスプリッタ６７１の背面に導光板６７３が設けられ、導光板６７３の背面側にフィルム６７２が設けられていることにある。反射板６７が図１１に示すような構成である場合、フィルム６７２は、非透過性を有する材料で構成することが可能である。すなわち、図１１における反射板６７の構成において、フィルム６７２の材質として、透過性は問わない。
【００７８】
図１２は、図１０および図１１とは異なる構成の反射板６７の一例を示す断面図である。図１２において、ベースカバー６７５は不図示となっている。図１２と図１０および図１１との相違は、ビームスプリッタ６７１の背面にモニタ（以下、背面モニタと呼ぶ）６７６が設置されていることにある。このとき、背面モニタ６７６には、所定の画像または所定の動画が表示される。背面モニタ６７６は、システム制御回路３８により制御される。背面モニタ６７６の制御については、反射状態変更機能３８２において説明する。
【００７９】
反射板６７は、患者Ｐに応じた角度に反射板６７の角度を手動で調整するために、支持アーム６５に回転可能に設けられている。なお、反射板６７は、支持アーム６５に着脱可能に支持されてもよい。具体的には、支持アーム６５に設けられた回転機構（図示せず）により回転軸ＲＲ１回りに回転可能に設けられている。
【００８０】
回転軸ＲＲ１は、例えば、スクリーン６３の表面に対する反射板６７の向きを調節可能なようにＸ軸に平行に設けられる。より詳細には、支持アーム６５は、少なくとも、後述する第１の映写形式のための第１の角度と第２の映写形式のための第２の角度との間で切り替え可能に設けられると良い。
【００８１】
第１の映写形式は、架台１１外から反射板６７を介さずにスクリーン６３の映像を見る形式である。そのため、第１の映写形式における反射板６７の第１の角度は、架台１１外にいる患者Ｐ等の視界を遮らない角度、例えば、略水平に設定されると良い。第２の映写形式はボア５３内において反射板６７を介して映像を見る形式である。そのため、第２の映写形式における反射板６７の第２の角度は、観察者たる患者Ｐの体格等に応じて、水平と垂直との間の任意の角度に設定されると良い。患者固定具１３７に頭部が配置された患者Ｐは、スクリーン６３に投影された映像を、第２の角度で配置された反射板６７を介して見ることができる。
【００８２】
反射板６７のＺ軸に関する位置を調節するため、支持アーム６５のスライド機構７１が移動台車６１に設けられると良い。図１３は、図６の支持アーム６５がＺ軸に関してスライドされた移動式スクリーン装置１５の側面を示す図である。図６と図１３とに示すように、スライド機構７１は、支持アーム６５のＺ軸に沿うスライドを案内するガイド６１１が移動台車６１に形成されている。ガイド６１１は、支持アーム６５とスクリーン６３とへの接触を回避するため、移動台車６１の両側面においてＺ軸に沿って設けられている。
【００８３】
ガイド６１１は如何なる形態により実現されても良いが、例えば、移動台車６１の側面にＺ軸に沿って設けられた空隙により実現される。図６と図１３とに示すように、支持アーム６５の摺動性を高めるため、支持アーム６５のうちのガイド６１１に面する基部には車輪６５１が設けられると良い。
【００８４】
スライド機構７１が設けられることにより、医師や技師、看護士等の医療従事者及び患者Ｐ等が支持アーム６５をＺ軸方向に押したり引いたりすることにより反射板６７をスクリーン６３に対して接近又は離間することができる。これにより、反射板６７のＺ軸方向に関する位置を調節することができる。
【００８５】
なお上記の説明においてスライド機構７１は、移動台車６１に設けられたガイド６１１と支持アーム６５に設けられた車輪６５１とにより実現されるものとした。しかしながら、本実施形態はこれに限定されない。本実施形態に係るスライド機構７１としては、支持アーム６５を移動台車６１に対して相対的にスライド可能であれば如何なる機構であっても良い。例えば、支持アーム６５にＺ軸に沿うガイドが設けられ、当該ガイドを走行する車輪が移動台車６１に設けられても良い。また、スライド機構７１は、ボールネジやスライドレール等により実現されても良い。
【００８６】
図１４は、架台１１のボア５３に配置された移動式スクリーン装置１５の簡易な側面図である。図１４に示すように、移動式スクリーン装置１５の移動台車６１がレール５５にスライド可能に設けられている。典型的には、移動式スクリーン装置１５には駆動装置が搭載されていない。移動式スクリーン装置１５は、寝台駆動装置１３５による天板１３１のスライドに連動してスライドする。なお、移動式スクリーン装置１５は、患者Ｐや医療従事者等により押したり引いたりすることによりＺ軸に関してスライドすることも可能である。
【００８７】
上記の構成により本実施形態に係る医用画像診断装置１０は、移動式スクリーン装置１５がボア５３の寝台側端部に配置された状態において移動式スクリーン装置１５に映像を投影する第１の映写形式と、天板１３１と移動式スクリーン装置１５とが連結した状態において移動式スクリーン装置１５に映像を投影する第２の映写形式とを実現することができる。
【００８８】
図１５は、第１の映写形式における移動式スクリーン装置１５を架台１１の側方から示す図である。図１６は、第１の映写形式における移動式スクリーン装置１５を架台１１の正面から示す図である。図１５と図１６とに示すように、第１の映写形式において移動式スクリーン装置１５は、スクリーン６３がボア５３の寝台側端部に位置するように配置される。第１の映写形式において患者Ｐや医療従事者は、架台筐体５１の外側からスクリーン６３に映し出された映像ＰＩを、反射板６７を介さずに見ることとなる。スクリーン６３が寝台側端部に配置されるので、スクリーン６３がボア５３を塞ぎ、患者Ｐがボア５３の内部を見ることを防止することができる。
【００８９】
また、スクリーン６３に映像ＰＩが映し出されているので、ボア５３が検査空間であるという患者Ｐの認識を鈍らせ、ボア５３内へ入り込むことへの恐怖感を和らげることができる。以下、第１の映写形式のための架台１１、寝台１３及び移動式スクリーン装置１５の配置形態を第１の配置形態と呼ぶことにする。
【００９０】
図１７は、第２の映写形式における移動式スクリーン装置１５を架台１１の側方から示す図である。図１７に示すように、第２の映写形式において患者Ｐは、天板１３１に載置されてボア５３に挿入された状態において、スクリーン６３の表面に映し出された映像を反射板６７を介して見ることとなる。天板１３１と移動式スクリーン装置１５とが連結しているため、移動式スクリーン装置１５のＺ軸方向のスライドに関わらず患者Ｐとスクリーン６３との距離は一定に保たれる。よってスクリーン６３に映し出される映像への没入感を高め、ボア５３内での閉塞感を和らげることができる。以下、第２の映写形式のための架台１１、寝台１３及び移動式スクリーン装置１５の配置形態を第２の配置形態と呼ぶことにする。
【００９１】
移動式スクリーン装置１５は、スクリーン６３に対する反射板６７の配置状態、またはこの配置状態の変更動作を検出する検出器７２を有する。検出器７２は、第１の配置形態から第２の配置形態へ移行する際や、第２の配置形態から第１の配置形態へ移行する際に、スクリーン６３に対する支持アーム６５および反射板６７の相対的な位置の変更を検出する。
【００９２】
スクリーン６３に対する反射板６７の配置状態とは、第１の配置形態において、反射板６７が、第１の角度または第２の角度で配置された状態である。なお、反射板６７の配置状態は、支持アーム６５に対して反射板６７が取り付けられた状態、または支持アーム６５から反射板６７が取り外された状態であってもよい。また、反射板６７の配置状態は、スクリーン６３に対する支持アーム６５の移動に伴って変更する場合もある。
【００９３】
反射板６７の配置状態の変更動作とは、第１の配置形態において、反射板６７が、第１の角度から第２の角度に変更される動作、または第２の角度から第１の角度に変更される動作に対応する。なお、反射板６７の配置状態の変更動作は、支持アーム６５に対する反射板６７の着脱動作であってもよい。また、反射板６７の配置状態の変更動作は、スクリーン６３に対する支持アーム６５の移動動作であってもよい。
【００９４】
具体的には、検出器７２は、反射板６７または支持アーム６５の動作開始時点、または支持アーム６５への反射板６７の取り付け時点のタイミングに、反射板６７の配置状態や変更動作を検出する。なお、検出器７２は、反射板６７または支持アーム６５の動作期間中のタイミングに検出してもよい。また、検出器７２は、反射板６７または支持アーム６５の動作終了時点、または支持アーム６５から反射板６７の取り外し時点のタイミングに、反射板６７の配置状態や変更動作を検出する。なお、検出器７２は、動作開始時点、取り付け時点、動作期間中、動作終了時点、取り外し時点のうち、いずれか２つ以上のタイミングにおいて反射板６７の配置状態や変更動作を検出してもよい。
【００９５】
検出器７２は、支持アーム６５に対する反射板６７の着脱と、スクリーン６３に対する支持アーム６５の移動と、回転軸ＲＲ１に対する反射板６７の回転とのうち少なくともひとつを検出する。検出器７２は、非磁性材料により構成される。検出器７２は、光学式センサと、機械式センサと、非磁性の電気式センサと、防磁性の磁気式センサとのうちいずれか一つ、またはこれらのセンサの組み合わせにより実現される。なお、検出器７２は、回転軸ＲＲ１とは独立した位置に設けられてもよい。
【００９６】
図１８は、支持アーム６５に対する反射板６７の着脱の一例を示す図である。支持アーム６５に対する反射板６７の着脱を検出する検出器（以下、着脱検出器７３と呼ぶ）は、支持アーム６５において、回転軸ＲＲ１に隣接する位置に設けられる。着脱検出器７３は、例えば、接触センサである。着脱検出器７３は、支持アーム６５に対する反射板６７の着脱の時点（取り付け時点および取り外し時点）を検出する。着脱検出器７３は、取り付け時点および取り外し時点をシステム制御回路３８に出力する。図１８に示すように、着脱検出器７３は、支持アーム６５に対する反射板６７の着脱を検出する。
【００９７】
図１９は、回転軸ＲＲ１周りの反射板６７の回転動作の一例を示す図である。回転軸ＲＲ１に対する反射板６７の回転を検出する検出器（以下、回転検出器７４と呼ぶ）は、支持アーム６５において、回転軸ＲＲ１に隣接する位置に設けられる。回転検出器７４は、例えば、回転角センサ、位置センサ、加速度センサなどである。図１９に示すように、回転検出器７４は、反射板６７の回転動作を検出する。
【００９８】
回転角センサは、例えば、ロータリーエンコーダ、ポテンショメータ等である。回転角センサは、回転軸ＲＲ１周りの反射板６７の回転角度（第１の角度および第２の角度）を検出する。位置センサは、例えば、光位置センサ（ｐｏｓｉｔｉｏｎ  ｓｅｎｓｉｔｉｖｅ  ｄｅｔｅｃｔｏｒ）、リミットスイッチなどである。位置センサは、回転軸ＲＲ１周りの反射板６７の位置を検出する。なお、回転角センサおよび位置センサは、回転軸ＲＲ１に設けられた回転自在のラチェット等の回転機構に設けられた機械式のセンサであってもよい。
【００９９】
すなわち、回転角センサおよび位置センサは、スクリーン６３に対する反射板６７の相対的な位置を検出する。これにより、回転角センサおよび位置センサは、回転軸ＲＲ１周りの反射板６７の回転動作の開始時点と、回転軸ＲＲ１周りの反射板６７の回転期間と、回転軸ＲＲ１周りの反射板６７の回転動作の終了時点とを検出する。回転角センサおよび位置センサは、反射板６７の回転動作に関する動作開始時点と動作期間と動作終了時点とをシステム制御回路３８に出力する。
【０１００】
加速度センサは、例えば、ＭＥＭＳ（ｍｉｃｒｏ  ｅｌｅｃｔｒｏ  ｍｅｃｈａｎｉｃａｌ  ｓｙｓｔｅｍ）により実現される。加速度センサは、回転軸ＲＲ１周りの反射板６７の回転動作に関する加速度を検出する。すなわち、加速度センサは、反射板６７の回転動作の開始時点と、回転軸ＲＲ１周りの反射板６７の回転動作の動作終了時点とを検出する。加速度センサは、反射板６７の回転動作に関する動作開始時点と動作終了時点とをシステム制御回路３８に出力する。
【０１０１】
図２０は、スクリーン６３に対する支持アーム６５の移動（スライド）の一例を示す図である。スクリーン６３に対する支持アーム６５の移動を検出する検出器（以下、移動検出器７５と呼ぶ）は、支持アーム６５または移動台車６１において、スライド機構７１に隣接して設けられる。このとき、検出器７２は、スクリーン６３に対する反射板６７の配置状態の検出またはこの配置状態の変更動作の検出として、スクリーン６３に対する支持アーム６５の移動を検出する。移動検出器７５は、例えば、変位センサ、位置センサ、加速度センサなどである。変位センサは、差動トランス、リニアエンコーダなどにより実現される。図２０に示すように、移動検出器７５は、スライド機構７１による支持アーム６５の移動を検出する。
【０１０２】
変位センサは、移動台車６１に対する支持アーム６５の相対的な位置の変位（移動）、すなわちスクリーン６３に対する反射板６７の相対的な位置の変位を検出する。また、位置センサは、移動台車６１に対する支持アーム６５の相対的な位置を検出する。これにより、変位センサおよび位置センサは、スクリーン６３に対する支持アーム６５の移動の開始時点と、支持アーム６５の移動の終了時点と、支持アーム６５の移動の動作期間とを検出する。変位センサおよび位置センサは、支持アーム６５の移動の開始時点と終了時点と動作期間と、システム制御回路３８に出力する。
【０１０３】
加速度センサは、支持アーム６５の移動に関する加速度を検出する。なお、加速度センサは、ガイド６１１における車輪６５１の移動に伴う車輪６５１の加速度を検出してもよい。これにより、加速度センサは、支持アーム６５の移動に伴う支持アーム６５の動作開始時点と、支持アーム６５の動作終了時点とを検出する。加速度センサは、伴う支持アーム６５の動作開始時点と動作終了時点とを、システム制御回路３８に出力する。
【０１０４】
図６および図１３は、支持アーム６５に設けられた着脱検出器７３と、回転検出器７４と、移動検出器７５との一例を示す図である。図６および図１３に示すように、着脱検出器７３と、回転検出器７４とは、回転軸ＲＲ１に隣接して支持アームに設けられる。また、移動検出器７５は、スライド機構７１近傍の支持アーム６５に設けられる。着脱検出器７３と、回転検出器７４と、移動検出器７５とは、不図示の所定のケーブルを介して、システム制御回路３８等に接続される。
【０１０５】
（状態変更機能）  
状態変更機能３８１とは、スクリーン６３に対する反射板６７の配置状態またはこの配置状態の変更動作に基づいて、移動式スクリーン装置１５が配置された検査空間、検査室３００等における照明状態および音響状態と、ボア５３内を光学的に撮影する撮影状態と、反射板６７の反射状態とのうち少なくとも一つの状態を変更するために、各ユニットを制御する機能である。以下、状態変更機能３８１に係る各種状態変更機能について、説明する。
【０１０６】
（反射状態変更機能）  
反射状態変更機能３８２とは、検出器７２からの検出結果に基づいて、反射板６７の反射状態を変更する機能である。以下、検出器７２は、回転検出器７４であるものとする。検出器７２が着脱検出器７３と回転検出器７４とを有する場合（応用例１）、検出器７２が回転検出器７４と移動検出器７５とを有する場合（応用例２）については、後ほど説明する。なお、反射状態変更機能３８２は、他の応用例の反射状態変更機能３８２および他の各種状態変更機能のうち少なくとも一つの機能とともに実行することも可能である。
【０１０７】
反射状態変更機能３８２を実現するシステム制御回路３８は、スクリーン６３に対する反射板６７の角度に応じて、光源６７４のＯＮ状態とＯＦＦ状態とを切り替えるために、光源６７４への電力の供給を制御する。具体的には、回転検出器７４により反射板６７の配置状態として第１の角度を検出すると、システム制御回路３８は、光源６７４を点灯させるように、すなわち光源６７４をＯＮ状態にするように、光源６７４への電力の供給を制御する。例えば、システム制御回路３８は、第１の角度の検出に応答して、光源６７４に電流を供給する。このとき、システム制御回路３８は、第２の角度が検出されるまで、光源６７４への電流の供給を維持する。
【０１０８】
なお、システム制御回路３８は、第２の角度から第１の角度への回転動作の開始時点に応答して、第２の角度から第１の角度への回転動作の動作期間と、第１の角度が検出されている期間とに亘って、光源６７４を点灯させるように、光源６７４への電力の供給を制御してもよい。また、システム制御回路３８は、第２の角度から第１の角度への回転動作の終了時点に応答して、光源６７４を点灯させるために、光源６７４への電力の供給を制御してもよい。
【０１０９】
システム制御回路３８は、回転検出器７４により反射板６７の配置状態として第２の角度を検出すると、システム制御回路３８は、光源６７４を消灯させるため、すなわち光源６７４をＯＦＦ状態にするために、光源６７４への電力の供給を制御する。例えば、システム制御回路３８は、第２の角度の検出に応答して、光源６７４への電流の供給を遮断する。
【０１１０】
なお、システム制御回路３８は、第１の角度から第２の角度への回転動作の開始時点に応答して、第１の角度から第２の角度への回転動作の動作期間と、第２の角度が検出されている期間とに亘って、光源６７４を消灯させるように光源６７４への電力の供給を制御してもよい。また、システム制御回路３８は、第１の角度から第２の角度への回転動作の終了時点に応答して、光源６７４を消灯させるために、光源６７４への電力の供給を制御してもよい。
【０１１１】
反射板６７が、ビームスプリッタ６７１と背面モニタ６７６とから構成される場合、反射状態変更機能３８２におけるシステム制御回路３８による制御対象は、背面モニタ６７６となる。このとき、システム制御回路３８は、スクリーン６３に対する反射板６７の角度に応じて背面モニタ６７６のＯＮ状態とＯＦＦ状態とを切り替えるために、背面モニタ６７６を制御する。背面モニタ６７６のＯＮ状態とは、背面モニタ６７６による映像（動画等）の表示状態であり、背面モニタ６７６のＯＦＦ状態とは、背面モニタ６７６による映像の非表示状態に対応する。
【０１１２】
システム制御回路３８による背面モニタ６７６の制御は、上述した光源６７４に対する制御と同様なため、説明は省略する。応用例１および応用例２についても、背面モニタ６７６の制御は、光源６７４に対する制御と同様なため、説明は省略する。
【０１１３】
図２１は、ボア５３に挿入される前の天板１３１に載置された患者と、ボア５３の寝台１３側の端部に配置された移動式スクリーン装置１５とを、架台１１の側方から示す図である。図２１に示すように、患者Ｐの頭部の前面には、第１の角度（略水平）で反射板６７が配置される。このとき、検出器７２は、第１の角度を検出する。
【０１１４】
図２２は、図２１において第１の角度で配置された反射板６７と、患者Ｐの眼Ｐｅｙとを模式的に示す図である。図２３は、図２１および図２２において、ビームスプリッタ６７１の背面に配置されたフィルム６７２の画像の一例を示す図である。図２１および図２２における反射板６７の配置状態において、光源６７４は点灯する。これにより、ビームスプリッタ６７１の背面は、ビームスプリッタ６７１の前面に比べて明るくなる。このため、患者Ｐは、図２３に示すように、ビームスプリッタ６７１の背面に配置されたフィルム６７２の画像または映像を、直接視認することができる。
【０１１５】
図２４は、第２の角度で配置された反射板６７と、患者Ｐの眼Ｐｅｙとを模式的に示す図である。図２４における反射板６７の配置状態において、光源６７４は、消灯する。これにより、ビームスプリッタ６７１の背面は、ビームスプリッタ６７１の前面に比べて暗くなる。このため、患者Ｐは、図２４に示すように、ビームスプリッタ６７１の反射を介して、ビームスプリッタ６７１の反射先におけるスクリーン６３の映像を、視認することができる。
【０１１６】
図２５は、図２４において、ビームスプリッタ６７１の背面に配置されたフィルム６７２の画像の一例を示す図である。図２５に示すように、ビームスプリッタ６７１の背面に配置されたフィルム６７２の画像は、スクリーン６３の映像の背面に位置する。加えて、ビームスプリッタ６７１の背面は、ビームスプリッタ６７１の前面に比べて暗くなるため、患者Ｐは、実質的にフィルム６７２の画像を視認不能となる。
【０１１７】
以上に述べた構成によれば、以下に示す効果を得ることができる。  
上記反射状態変更機能３８２を実現する本実施形態の磁気共鳴イメージング装置１０によれば、スクリーン６３に対する反射板６７の角度または位置に応じて、反射板６７に搭載された光源６７４または背面モニタ６７６のＯＮ状態とＯＦＦ状態とを切り替えることができる。これにより、第１の角度で配置された反射板６７において、ビームスプリッタ６７１の背面を、ビームスプリッタ６７１の前面に比べて明るくすることができる。また、第２の角度で配置された反射板６７において、ビームスプリッタ６７１の背面を、ビームスプリッタ６７１の前面に比べて暗くすることができる。
【０１１８】
これらのことから、本実施形態に係る磁気共鳴イメージング装置１０によれば、第１の角度、すなわち略水平状態で配置された反射板６７に患者Ｐの顔が実質的に映り込まなくなるため、患者Ｐは、自身の顔を反射板６７で視認することなく、ビームスプリッタ６７１の背面に配置されたフィルム６７２の画像または背面モニタ６７６の映像（動画）を、直接視認することができる。これにより、患者Ｐの不快感を低減させることができる。
【０１１９】
以上のことから、本磁気共鳴イメージング装置１０によれば、第１の角度で配置された反射板６７において、ビームスプリッタ６７１の背面に配置されたフィルム６７２の画像または背面モニタ６７６の映像を患者Ｐに視認させることで、第１の角度で配置された反射板６７を有効活用し、患者Ｐに違和感を生じさせず、患者Ｐの不安を改善し、かつ患者Ｐをリラックスできる環境を提供することができる。
【０１２０】
（応用例１）  
応用例１は、検出器７２が着脱検出器７３をさらに有する場合に対応する。反射状態変更機能３８２を実現するシステム制御回路３８は、支持アーム６５への反射板６７の着脱と反射板６７の角度とに応じて、光源６７４のＯＮ状態とＯＦＦ状態とを切り替えるために、光源６７４への電力の供給を制御する。以下の説明において、上記反射状態変更機能３８２等の説明と重複する部分は、適宜省略する。なお、本応用例に係る反射状態変更機能３８２は、他の応用例に係る反射状態変更機能３８２および他の各種状態変更機能のうち少なくとも一つの機能とともに実行することも可能である。
【０１２１】
（反射状態変更機能）  
着脱検出器７３により支持アーム６５へ反射板６７が取り付けられたことを検出し、かつ回転検出器７４により反射板６７の配置状態として第１の角度を検出すると、システム制御回路３８は、光源６７４を点灯させるため、光源６７４への電力の供給を制御する。なお、支持アーム６５に対する反射板６７の着脱が第１の角度において実行可能な場合、システム制御回路３８は、支持アーム６５に対する反射板６７の取り付けの検出に応答して、光源６７４を点灯させてもよい。光源６７４に対する他の制御については、上述した内容と重複するため、説明は省略する。
【０１２２】
以上に述べた構成によれば、前述に記載の効果に加えて、以下に示す効果を得ることができる。  
本応用例１に係る磁気共鳴イメージング装置１０によれば、支持アーム６５に対する反射板６７の着脱に応答して、反射板６７に搭載された光源６７４または背面モニタ６７６のＯＮ状態とＯＦＦ状態とを切り替えることができる。これにより、第１の角度で支持アーム６５に取り付けられた反射板６７において、ビームスプリッタ６７１の背面を、ビームスプリッタ６７１の前面に比べて明るくすることができる。
【０１２３】
これにより、本応用例１に係る磁気共鳴イメージング装置１０によれば、反射板６７が支持アーム６５から着脱可能であっても、第１の角度、すなわち略水平状態で支持アーム６５に取り付けられた反射板６７に患者Ｐの顔が実質的に映り込まなくなるため、患者Ｐは、自身の顔を反射板６７で視認することなく、ビームスプリッタ６７１の背面に配置されたフィルム６７２の画像または背面モニタ６７６の映像を、直接視認することができる。これにより、患者Ｐの不快感を低減させることができ、かつ患者Ｐをリラックスできる環境を提供することができる。
【０１２４】
（応用例２）  
応用例２は、検出器７２が回転検出器７４と移動検出器７５とを有する場合に対応する。反射状態変更機能３８２を実現するシステム制御回路３８は、スクリーン６３に対する反射板６７の相対的な位置とスクリーン６３に対する支持アーム６５の相対的な位置とのうち少なくとも一つに応じて光源６７４のＯＮ状態とＯＦＦ状態とを切り替えるために、光源６７４への電力の供給を制御する。
【０１２５】
具体的には、システム制御回路３８は、スクリーン６３に対する支持アーム６５の移動と反射板６７の角度とに応じて、光源６７４のＯＮ状態とＯＦＦ状態とを切り替えるために、光源６７４への電流の供給を制御する。
【０１２６】
以下の説明において、上述した反射状態変更機能３８２の説明と重複する部分については、説明を適宜省略する。なお、本応用例に係る反射状態変更機能３８２は、他の応用例に係る反射状態変更機能３８２および他の各種状態変更機能のうち少なくとも一つの機能とともに実行することも可能である。
【０１２７】
以下、説明をより具体的にするために、移動式スクリーン装置１５の初期状態は、第１の配置形態であって、反射板６７の角度は、第１の角度であるものとする。また、このとき、支持アーム６５は、スクリーン６３側にスライドされているものとする。
【０１２８】
図２６は、第１の配置形態であって、第１の角度で配置された反射板６７を有する移動式スクリーン装置１５（初期状態）の一例を示す図である。図２６に示すように、移動式スクリーン装置１５は、寝台１３側の端部に配置される。図２６に示すように、支持アーム６５は、スクリーン６３側に配置される。図２６に示すように、反射板６７は、第１の角度で配置される。
【０１２９】
寝台１３側への支持アーム６５の移動を移動検出器７５が検出すると、システム制御回路３８は、光源６７４を点灯させるために、光源６７４へ電流を供給する。すなわち、スクリーン６３に対する支持アーム６５の相対的な位置がスクリーン６３側から寝台１３側へ変更されると、光源６７４は点灯する。また、第１の配置形態において反射板６７の角度が第１の角度と異なる場合、システム制御回路３８は、寝台１３側への支持アーム６５の移動の検出と第１の角度の検出との両者の検出に応答して、光源６７４に電流を供給する。
【０１３０】
図２７は、支持アーム６５が寝台１３側にスライドされた時点における移動式スクリーン装置１５の一例を示す図である。図２７に示すように、スクリーン６３側から寝台１３側への支持アーム６５の移動（スライド）ＳＬに応答して、光源６７４が点灯する。このとき、天板１３１に載置された患者Ｐは、フィルム６７２の画像を視認することができる。
【０１３１】
第１の角度から第２の角度への反射板６７の回転の検出に応答して、システム制御回路３８は、点灯中の光源６７４を消灯するために、光源６７４への電力の供給を制御する。すなわち、第１の角度に配置され、光源６７４が点灯中である反射板６７が、第２の角度へ回転されると、光源６７４への電流の供給は遮断され、光源６７４は消灯する。図２８は、光源６７４への電流の供給が遮断された状態における移動式スクリーン装置１５の一例を示す図である。図２８に示すように、第１の角度から第２の角度への反射板６７の回転に応答して光源６７４は消灯する。
【０１３２】
患者Ｐに対する磁気共鳴撮像の終了後等において、第２の角度から第１の角度への反射板６７の回転の検出に応答して、システム制御回路３８は、消灯中の光源６７４を点灯するために、光源６７４への電力の供給を制御する。すなわち、第２の角度に配置され、光源６７４が消灯中である反射板６７が第１の角度へ回転されると、光源６７４への電流が供給され、光源６７４が点灯する。この時点での図は、図２７に相当する。
【０１３３】
スクリーン６３側への支持アーム６５の移動を移動検出器７５が検出すると、システム制御回路３８は、光源６７４を消灯させるために、光源６７４への電力の供給を制御する。すなわち、スクリーン６３に対する支持アーム６５の相対的な位置が寝台１３側からスクリーン６３側へ変更されると、光源６７４への電流の供給は遮断され、光源６７４は消灯する。この時点での図は、図２６に相当する。
【０１３４】
（反射状態変更機能）  
図２９は、本応用例２の反射状態変更機能３８２に関する処理の手順の一例を示すフローチャートである。
【０１３５】
患者Ｐの検査室への入室に先立ち、医療従事者等のユーザにより、移動式スクリーン装置１５が、ボア５３の寝台１３側の端部に配置される（ステップＳａ１）。このとき、反射板６７は、第１の角度（略水平）に配置される。なお、反射板６７の第１の角度は略水平に限定されず、患者Ｐの体格等に応じて任意の角度に決定されてもよい。
【０１３６】
ステップＳａ１における移動式スクリーン装置１５の状態は、第１の配置形態となる。このとき、患者Ｐは、図１５に示すように、架台筐体５１の外側からスクリーン６３に映し出された映像ＰＩを、反射板６７を介さずに視認可能となる。すなわち、移動式スクリーン装置１５がボア５３の寝台側端ＰＥ１に配置される第１の配置形態により、患者Ｐが架台１１の外側から当該架台１１を見たときにボア５３が視界に入ることを防ぐことができる。
【０１３７】
図１６に示すように、第１の配置形態において、映写機１００からの映像がスクリーン６３に投影されると、患者Ｐが検査室３００に入室する。この時、スクリーン６３に映像ＰＩが映し出されているので、ボア５３が検査空間であるという患者Ｐの認識を鈍らせ、ボア５３内へ入り込むことへの恐怖感を和らげることができる。
【０１３８】
移動式スクリーン装置１５に投影された映像を視認した患者Ｐは、天板１３１に載置される。次いで、天板１３１は、鉛直上向きに移動し、移動式スクリーン装置１５に連結される。具体的には、ユーザは、架台１１又は寝台１３に設けられた上昇ボタンを押下する。上昇ボタンの押下を受けて撮像制御回路３１は、天板１３１の上昇に対応する電気信号（以下、上昇信号と呼ぶ）を寝台駆動装置１３５に供給する。上昇信号を受けた寝台駆動装置１３５は、天板１３１をＹ軸方向に上昇させる。
【０１３９】
天板１３１と移動式スクリーン装置１５との連結後、ユーザの操作により、第１の角度に配置された反射板６７を支持する支持アーム６５が、寝台１３側に引き出される（ステップＳａ２）。このとき、移動検出器７５により、移動台車６１上における支持アーム６５の移動、または移動台車６１において寝台１３側に移動した支持アーム６５の位置が検出される。
【０１４０】
支持アーム６５の移動または寝台１３側の位置の検出に応答して、光源６７４のスイッチングが制御され、光源６７４に電流が供給される。これにより、光源６７４が点灯する（ステップＳａ３）。反射板６７の角度が第２の角度に回転されるまで、光源６７４のＯＮ状態は維持される（ステップＳａ４のＮｏ）。
【０１４１】
ユーザの操作により反射板６７の角度が第１の角度から第２の角度に回転される（ステップＳａ４のＹｅｓ）と、回転検出器７４により、第２の角度が検出される。第２の角度の検出に応答して、光源６７４のスイッチングが制御され、光源６７４への電流の供給が遮断される。これにより、光源６７４は消灯する（ステップＳａ５）。
【０１４２】
ユーザは、架台１１又は寝台１３に設けられた挿入ボタンを押下する。挿入ボタンの押下を受けて撮像制御回路３１は、天板１３１の挿入に対応する電気信号（以下、挿入信号と呼ぶ）を寝台駆動装置１３５に供給する。挿入信号を受けた寝台駆動装置１３５は、天板１３１を＋Ｚ軸方向にスライドする。天板１３１と移動式スクリーン装置１５とが連結しているので、天板１３１のスライドに連動して移動式スクリーン装置１５も＋Ｚ方向にスライドする。
【０１４３】
投光器５９の直下に撮像対象部位が位置するまで、挿入ボタンが押下される。投光器５９の直下、例えば交線光５９１により照射された位置に撮像対象部位が移動されると、ユーザは、挿入ボタンの押下を終了し、天板１３１を停止させる。次いで、ユーザは、架台１１又は寝台１３に設けられた位置合わせボタンを押下する。このとき、撮像制御回路３１は、投光器５９の直下の天板１３１の位置を、天板位置として一時的に記憶する。入力回路３６等を介して、位置合わせ指示が入力されると、撮像制御回路３１は、天板位置を磁場中心位置に合わせるために、寝台駆動装置１３５を制御する。このとき、撮像対象部位は、磁場中心位置に移動される。
【０１４４】
図１７は、第２の映写形式における移動式スクリーン装置１５を架台１１の側方から示す図である。図１７に示すように、第２の映写形式において天板１３１に載置された患者Ｐは、スクリーン６３の表面に映し出された映像を、反射板６７を介して見ることができる。天板１３１と移動式スクリーン装置１５とが連結しているため、移動式スクリーン装置１５のＺ軸方向のスライドに関わらず患者Ｐとスクリーン６３との距離は一定に保たれる。よってスクリーン６３に映し出される映像への没入感を高め、ボア５３内での閉塞感を和らげることができる。第２の映写形式による映像の投影はステップＳａ５からＳａ７の終了時まで継続される。
【０１４５】
撮像対象部位が磁場中心位置に移動されると、ＭＲ撮像が行われる。具体的には、ユーザは、制御室４００にてＭＲ撮像の開始ボタンを押下する。開始ボタンが押下されると撮像制御回路３１は、予め設定された撮像シーケンスに従い傾斜磁場電源２１、送信回路２３及び受信回路２５を同期的に制御し、ＭＲ撮像を実行する。ＭＲ撮像により患者Ｐに関するＭＲ信号が受信回路２５により収集され、再構成回路３２によりＭＲ信号に基づいてＭＲ画像が再構成される。ＭＲ撮像の間、患者Ｐはスクリーン６３に映し出された映像を、反射板６７を介して鑑賞することができる。よって比較的長時間に及ぶＭＲ撮像時においてもボア５３内で快適に過ごすことができる。
【０１４６】
ＭＲ撮像が終了すると天板１３１がボア５３外に退避される。すなわち、患者に対する磁気共鳴撮像が終了すると、移動式スクリーン装置１５は、ボア５３の寝台１３側の端部に移動される（ステップＳａ６）。
【０１４７】
具体的には、ユーザは、架台１１又は寝台１３に設けられた退避ボタンを押下する。退避ボタンの押下を受けて撮像制御回路３１は、天板１３１の退避に対応する電気信号（以下、退避信号と呼ぶ）を寝台駆動装置１３５に供給する。退避信号を受けた寝台駆動装置１３５は、天板１３１を−Ｚ軸方向にスライドする。天板１３１が架台１１外までスライドされると移動式スクリーン装置１５はボア５３の寝台側端ＰＥ１に配置されることとなる。天板１３１をボア５３外に移動させている間にも患者Ｐは、スクリーン６３に映し出された映像を、反射板６７を介して鑑賞し続けることができる。
【０１４８】
ユーザの操作により、反射板６７の角度が第２の角度から第１の角度に回転される（ステップＳａ７）と、回転検出器７４により、第１の角度が検出される。第１の角度の検出に応答して、光源６７４のスイッチングが制御され、光源６７４に電流が供給される。これにより、光源６７４は点灯する（ステップＳａ８）。第１の角度に配置された反射板６７を支持する支持アーム６５がボア５３内部、すなわちスクリーン６３側に押し込まれるまで、光源６７４のＯＮ状態は維持される（ステップＳａ９のＮｏ）。
【０１４９】
ユーザの操作により支持アーム６５がボア５３内部、すなわちスクリーン６３側に押し込まれる（ステップＳａ９のＹｅｓ）と、移動検出器７５により、移動台車６１上における支持アーム６５の移動、または移動台車６１においてスクリーン６３側に移動した支持アーム６５の位置が検出される。支持アーム６５の移動またはスクリーン６３側の位置の検出に応答して、光源６７４のスイッチングが制御され、光源６７４への電流の供給が遮断される。これにより、光源６７４は消灯する（ステップＳａ１０）。
【０１５０】
ステップＳａ１０が行われると天板１３１が下降され、天板１３１と移動式スクリーン装置１５との連結が解除される。具体的には、ユーザは、架台１１又は寝台１３に設けられた下降ボタンを押下する。下降ボタンの押下を受けて撮像制御回路３１は、天板１３１の下降に対応する電気信号（以下、下降信号と呼ぶ）を寝台駆動装置１３５に供給する。下降信号を受けた寝台駆動装置１３５は、天板１３１をＹ軸方向に下降する。天板１３１を下降すると、天板１３１と移動式スクリーン装置１５との連結が解除される。天板１３１が初期位置まで下降されるとユーザは、下降ボタンの押下を終了する。その後、患者Ｐは天板１３１を降り、検査室３００を退室する。
【０１５１】
なお、上記のＭＲ検査の流れは一例であり本実施形態に係る磁気共鳴イメージングシステム１の動作例上記流れに限定されない。例えば、上記の流れにおいては、天板１３１を初期位置からボア５３内の撮影位置まで移動するため上昇ボタンと挿入ボタンとを個別に押下するものとした。
【０１５２】
しかしながら、本実施形態はこれに限定されない。例えば、天板１３１の上昇と挿入とを一括で指示する自動挿入ボタンが押下されても良い。また、上記の流れにおいては、天板１３１をボア５３内から初期位置まで移動するため退避ボタンと下降ボタンとを個別に押下するものとした。しかしながら、本実施形態はこれに限定されない。例えば、天板１３１の退避と下降とを一括で指示する自動退避ボタンが押下されても良い。
【０１５３】
以上に述べた構成によれば、前述に記載の効果に加えて、以下に示す効果を得ることができる。  
本応用例２に係る磁気共鳴イメージング装置１０によれば、スクリーン６３に対する支持アーム６５の移動と反射板６７の角度とに応じて、光源６７４のＯＮ状態とＯＦＦ状態とを切り替えるために、反射板６７に搭載された光源６７４または背面モニタ６７６のＯＮ状態とＯＦＦ状態とを切り替えることができる。これにより、移動台車６１上において支持アーム６５がスクリーン側に配置された場合、光源６７４および背面モニタ６７６をＯＦＦ状態にすることができ、光源６７４および背面モニタ６７６に関する消費電力を低減させることができる。これらのことから、本応用例２に係る磁気共鳴イメージング装置１０によれば、環境保護機能を向上させることができる。
【０１５４】
（応用例３）  
応用例３は、支持アーム６５と反射板６７とのうち少なくとも一つの外装に撮影部が搭載されていることに対応する。撮影部は、天板１３１上の人物、すなわち天板１３１に載置された患者Ｐを撮影する。撮影部は、例えば、光学式カメラである。本応用例３において、撮影部は、後述する撮影状態変更機能３８３を実現するシステム制御回路３８により、制御される。なお、本応用例に係る撮影状態変更機能３８３は、他の応用例における撮影状態変更機能３８３および他の各種状態変更機能のうち少なくとも一つの機能とともに実行することも可能である。
【０１５５】
以下、反射板６７に２つの撮影部が搭載されているものとして説明する。なお、反射板６７に搭載される撮影部の個数は、２つに限定されない。また、反射板６７に撮影部が一つ搭載されている場合については、応用例４で説明する。
【０１５６】
図３０は、応用例３に係り、第１の角度で配置された反射板６７を有する移動式スクリーン装置１５の側面図である。図３１は、応用例３に係り、第２の角度で配置された反射板６７を有する移動式スクリーン装置１５の側面図である。図３０および図３１に示すように、応用例３に係る移動式スクリーン装置１５における反射板６７の外装の端部には、天板１３１に載置された患者Ｐを撮影するための２つの光学式カメラ８０、８５が設けられている。
【０１５７】
反射板６７は、２つの撮影部を支持する。具体的には、反射板６７の外装またはベースカバー６７５における寝台１３側の端部とスクリーン６３側の端部とにおいて、反射板６７に対する撮影方向を固定して、光学式カメラ８０と光学式カメラ８５とを支持する。
【０１５８】
以下、説明を簡単にするために、反射板６７において、寝台１３側に搭載された光学式カメラを第１カメラ８０と呼び、スクリーン６３側に搭載された光学式カメラを第２カメラ８５と呼ぶ。図３０および図３１に示すように、第１カメラ８０の撮影方向と第２カメラ８５の撮影方向とは、それぞれ異なる。
【０１５９】
第１カメラ８０は、例えば、第１対物レンズ８１と、第１光ファイバ８３と、不図示の第１ＣＣＤ（電荷結合素子：ｃｈａｒｇｅ−ｃｏｕｐｌｅｄ  ｄｅｖｉｃｅ）とを有する。第２カメラ８５は、例えば、第２対物レンズ８６と、第２光ファイバ８８と、不図示の第２ＣＣＤと有する。第１対物レンズ８１と第１光ファイバ８３と第２対物レンズ８６と第２光ファイバ８８とは非磁性材料により形成される。
【０１６０】
第１対物レンズ８１は、第１の角度で配置された反射板６７において、天板１３１に載置された患者Ｐの顔面を撮影可能なように、反射板６７の寝台１３側の端部に設けられる。好適には、第１対物レンズ８１は、第１の角度で配置された反射板６７において、患者Ｐの顔面に対向する位置に設けられる。図３０における点線は、第１対物レンズ８１の視野（撮影範囲）を示している。図３０に示すように、第１対物レンズ８１の視野は、患者Ｐの顔面を含む頭部を包含する範囲である。
【０１６１】
なお、第１対物レンズ８１は、図３２に示すように支持アーム６５に設けられてもよい。このとき、第２対物レンズ８６は、図３３に示すように、図３１と同様に反射板６７のスクリーン６３側の端部に設けられる。また、第１対物レンズ８１は、患者Ｐの顔面を含む頭部を包含する範囲を撮影できれば、どのような向きに取り付けられてもよい。
【０１６２】
第２対物レンズ８６は、第２の角度で配置された反射板６７において、天板１３１に載置された患者Ｐの頭部から胸部または腹部にかけての略上半身を撮影可能なように、反射板６７のスクリーン６３側の端部に設けられる。すなわち、第２の角度で配置された反射板６７における第２対物レンズの撮影方向は、患者Ｐをできるだけ広範囲に撮影する方向である。図３１における点線は、第２対物レンズ８６の視野を示している。図３１に示すように、第２対物レンズ８６の視野（撮影範囲）は、患者Ｐの略上半身を包含する範囲である。第１対物レンズ８１および第２対物レンズ８６は、患者Ｐからの光を収束又は発散する。
【０１６３】
第１光ファイバ８３は、第１対物レンズ８１からの光を導く光導波路である。第１光ファイバ８３は、第１対物レンズ８１からの光を架台１１外部に設けられた第１ＣＣＤに導くため、第１対物レンズ８１と第１ＣＣＤとを接続する。
【０１６４】
第２光ファイバ８８は、第２対物レンズ８６からの光を導く光導波路である。第２光ファイバ８８は、第２対物レンズ８６からの光を架台１１外部に設けられた第２ＣＣＤに導くため、第２対物レンズ８６と第２ＣＣＤとを接続する。
【０１６５】
また、第１光ファイバ８３および第２光ファイバ８８は、レール５５又は架台筐体５１の内壁５７の表面に取り付けられても良いし、レール５５又は架台筐体５１の内部に埋設されても良い。
【０１６６】
第１ＣＣＤは、第１光ファイバ８３からの光を受光し、当該光を電気信号に変換する複数の受光素子を有する。第２ＣＣＤは、第２光ファイバ８８からの光を受光し、当該光を電気信号に変換する複数の受光素子を有する。第１ＣＣＤおよび第２ＣＣＤは、複数の受光素子からの電気信号に基づいて、患者Ｐに関する光学画像データを発生する。例えば、第１ＣＣＤにより発生された光学画像データは、図３０および図３２に示すように、主として患者Ｐの顔画像に関するデータ（以下、顔画像データと呼ぶ）である。また、第２ＣＣＤにより発生された光学画像データは、図３１および図３３に示すように、主として患者Ｐの上半身画像に関するデータ（以下、上半身画像データと呼ぶ）である。
【０１６７】
なお、第１光ファイバ８３と第２光ファイバ８８とは、図３０乃至図３３において、別体の光ファイバとして示されているが、例えば、支持アーム６５において一つの光ファイバとしてまとめられてもよい。このとき、一つのＣＣＤが、架台１１の外部に設けられる。加えて、支持アーム６５または反射板６７の外装に、第１光ファイバ８３と第２光ファイバ８８とを接続し、第１対物レンズ８１からの光と第２対物レンズ８６からの光とを切り替える不図示の切換器が搭載される。なお、切換器は、架台１１の外部に設けられた一つのＣＣＤ近傍に設けられてもよい。
【０１６８】
なお、第１対物レンズ８１とＣＣＤとを結ぶ第１光ファイバ８３と、第２対物レンズ８６とＣＣＤとを結ぶ第２光ファイバ８８とは剛性を有している。このため、移動式スクリーン装置１５のスライドに伴い第１光ファイバ８３と第２光ファイバ８８とは、破損するおそれがある。これを防止するため、例えば、移動式スクリーン装置１５のスライドに関わらず、第１光ファイバ８３と第２光ファイバ８８とが一定の曲率を保持したまま第１対物レンズ８１および第２光ファイバ８８とＣＣＤとを接続可能な機構が、架台１１等に設けられても良い。
【０１６９】
光学画像データは通信回路３４を介してコンソール２７に供給される。供給された光学画像データに対応する光学式画像は表示回路３５により表示される。医療従事者等は、光学式画像を観察することによりＭＲ撮像中の患者Ｐを監視することができる。具体的には、顔画像データに対応する光学式画像（以下、顔画像と呼ぶ）は、コンソール２７における各種ディスプレイ、および架台筐体５１の寝台１３側における外装面におけるタッチパネルに表示される。
【０１７０】
また、上半身画像データに対応する光学式画像（以下、上半身画像と呼ぶ）は、コンソール２７における各種ディスプレイに表示される。なお、上半身画像は、架台筐体５１の外装面におけるタッチパネルに表示されてもよい。上半身画像は、患者Ｐの体動に伴い変化する後述する特徴点の位置情報（体動情報）を有する。
【０１７１】
入力回路３６は、架台筐体５１の寝台１３側における外装面におけるタッチパネルに表示された顔画像に対して、位置合わせ指示を入力する。これにより、患者Ｐの頭部領域に対して、天板位置が確定される。
【０１７２】
画像処理回路３３は、第２カメラ８５により撮影された上半身画像を利用して再構成画像の体動補正を行う。例えば、画像処理回路３３は、時系列の上半身画像の特徴点の位置を時系列で追跡し、特徴点の移動量を算出する。特徴点は、上半身画像に描出された患者Ｐの顎や額、頸椎、患者Ｐに付されたマーカ等の任意の部位（解剖学的特徴点）に設定可能である。そして画像処理回路３３は、算出された移動量に従い再構成画像を座標変換することにより体動が補正された画像を発生する。
【０１７３】
（撮影状態変更機能）  
撮影状態変更機能３８３は、スクリーン６３に対する反射板６７の角度とスクリーン６３に対する支持アーム６５の相対的な位置とのうち少なくとも一つに応じて、ボア５３内を光学的に撮影する撮影状態を変更する機能である。以下、撮影状態変更機能３８３に係る処理について説明する。
【０１７４】
撮影状態変更機能３８３を実現するシステム制御回路３８は、検出器７２からの検出結果に基づいて、撮影状態の変更として、撮影部による撮影方向を切り替える。撮影方向の切換は、例えば、第１カメラ８０と第２カメラ８５とにおける撮影のＯＮ状態（以下、撮影ＯＮ状態と呼ぶ）とＯＦＦ状態（以下、撮影ＯＦＦ状態と呼ぶ）との切り替えにより実現される。撮影ＯＮ状態と撮影ＯＦＦ状態との切り替えは、システム制御回路３８による制御のもとで、反射板６７の角度に応じて実行される。
【０１７５】
撮影ＯＮ状態と撮影ＯＦＦ状態との切換は、ＣＣＤにおける画像の発生可能状態と画像の発生不可状態との切り替えに対応する。このとき、システム制御回路３８による制御対象は、第１ＣＣＤおよび第２ＣＣＤである。なお、一つの光ファイバがＣＣＤに接続されているとき、システム制御回路３８は、反射板６７の角度に応じて、切換器を制御する。切換器の制御により、第１対物レンズ８１からの光と第２対物レンズ８６からの光とのうちいずれかの光がＣＣＤに導かれることとなる。
【０１７６】
具体的には、検出器７２により第１の角度が検出されたとき、または移動台車６１上において支持アーム６５がスクリーン６３側に位置しているとき、システム制御回路３８は、第１ＣＣＤが撮影ＯＮ状態として維持されるように第１ＣＣＤを制御し、第２ＣＣＤが撮影ＯＦＦ状態として維持されるように第２ＣＣＤを制御する。このとき、一つの光ファイバがＣＣＤに接続されている場合は、システム制御回路３８は、第１対物レンズ８１からの光がＣＣＤに導かれるように、切換器を制御する。
【０１７７】
第１ＣＣＤが撮影ＯＮ状態であって、第２ＣＣＤが撮影ＯＦＦ状態である期間、または第１対物レンズ８１からの光がＣＣＤに導かれている期間は、例えば、図２９におけるフローチャートのステップＳａ１からＳａ４のＮｏまでの期間と、ステップＳａ８からエンドまでの期間に対応する。
【０１７８】
検出器７２により第２の角度が検出されたとき、または移動台車６１上において支持アーム６５が寝台１３側に位置しているとき、システム制御回路３８は、第１ＣＣＤが撮影ＯＦＦ状態として維持されるように第１ＣＣＤを制御し、第２ＣＣＤが撮影ＯＮ状態として維持されるように第２ＣＣＤを制御する。このとき、一つの光ファイバがＣＣＤに接続されている場合は、システム制御回路３８は、第２対物レンズ８６からの光がＣＣＤに導かれるように、切換器を制御する。
【０１７９】
第１ＣＣＤが撮影ＯＦＦ状態であって、第２ＣＣＤが撮影ＯＮ状態である期間、または第２対物レンズ８６からの光がＣＣＤに導かれている期間は、例えば、図２９におけるフローチャートのステップＳａ４のＹｅｓからＳａ７までの期間に対応する。
【０１８０】
また、反射板６７の配置状態が第１の角度から第２の角度へ変更されたとき、すなわち回転軸ＲＲ１周りの反射板６７の回転動作の開始時点が検出されたとき、システム制御回路３８は、第１ＣＣＤの撮影状態を撮影ＯＮ状態から撮影ＯＦＦ状態に変更するように第１ＣＣＤを制御し、第２ＣＣＤの撮影状態を撮影ＯＦＦ状態から撮影ＯＮ状態に変更するように第２ＣＣＤを制御する。このとき、一つの光ファイバがＣＣＤに接続されている場合は、第１対物レンズ８１からの光を遮断し、第２対物レンズ８６からの光をＣＣＤに導くように、切換器を制御する。このときの処理は、例えば、図２９におけるフローチャートのステップＳａ５に対応する。
【０１８１】
また、反射板６７の配置状態が第２の角度から第１の角度へ変更されたとき、システム制御回路３８は、第１ＣＣＤの撮影状態を撮影ＯＦＦ状態から撮影ＯＮ状態に変更するように第１ＣＣＤを制御し、第２ＣＣＤの撮影状態を撮影ＯＮ状態から撮影ＯＦＦ状態に変更するように第２ＣＣＤを制御する。このとき、一つの光ファイバがＣＣＤに接続されている場合は、システム制御回路３８は、第２対物レンズ８６からの光を遮断し、第１対物レンズ８１からの光をＣＣＤに導くように、切換器を制御する。このときの処理は、例えば、図２９におけるフローチャートのステップＳａ８に対応する。
【０１８２】
なお、システム制御回路３８は、支持アーム６５が移動台車６１上においてスクリーン６３側から寝台１３側に引き出されたとき、第１ＣＣＤの撮影状態を撮影ＯＦＦ状態から撮影ＯＮ状態に切り替えるように、第１ＣＣＤを制御してもよい。このとき、一つの光ファイバがＣＣＤに接続されている場合は、システム制御回路３８は、第１対物レンズ８１からの光をＣＣＤに導くように、切換器を制御する。
【０１８３】
また、システム制御回路３８は、支持アーム６５が移動台車６１上において寝台１３側からスクリーン６３側に押し込まれたとき、第１ＣＣＤおよび第２ＣＣＤの撮影状態をともに撮影ＯＦＦ状態にするように、第１ＣＣＤおよび第２ＣＣＤを制御してもよい。
【０１８４】
図３０および図３２は、反射板６７が第１の角度に配置された場合の移動式スクリーン装置１５の側面を示す図である。図３０および図３２に示すように、第１カメラ８０は、患者Ｐの頭部領域を光学的に撮影する。このとき、第２カメラ８５は、患者Ｐを撮影しない。
【０１８５】
図３１および図３３は、反射板６７が第２の角度に配置された場合の移動式スクリーン装置１５の側面を示す図である。図３１および図３３に示すように、第２カメラ８５は、患者Ｐの略上半身を光学的に撮影する。このとき、第１カメラ８０は、患者Ｐを撮影しない。
【０１８６】
なお、第１カメラ８０が支持アーム６５に搭載され、反射板６７が第２の角度に配置された場合、第１カメラ８０は、患者Ｐを撮影することも可能である。すなわち、反射板６７が第２の角度に配置された場合、第１カメラ８０と第２カメラ８５とは、同時に患者Ｐを撮影することができる。図３４は、第１カメラ８０が支持アーム６５に搭載され、かつ反射板６７が第２の角度に配置された場合における第１カメラ８０の視野と、第２カメラ８５の視野とを示す図である。図３４に示すように、第１カメラ８０は、常に患者Ｐを撮影する。
【０１８７】
図３５は、図２１における患者Ｐの顔画像が表示されたタッチパネル３５１を、架台１１の寝台１３側からみた正面図である。図３５に示すように、タッチパネル３５１には、患者Ｐの顔画像が表示される。ユーザは、タッチパネル３５１に表示された顔画像に対するタッチ操作３５３により、位置合わせ指示を入力することができる。
【０１８８】
このとき、撮像制御回路３１は、第１カメラ８０の直下の位置を、磁場中心位置に移動させる天板位置として記憶する。このとき、撮像制御回路３１は、タッチパネル（映像表示モニタ）における映像においてユーザにより指定された位置を磁場中心位置に移動させる位置として設定する設定部として機能する。なお、設置部としての機能は、システム制御回路３８により実行されてもよい。
【０１８９】
次いで、ユーザの操作により、反射板６７の角度が第１の角度から第２の角度に変更されると、撮像制御回路３１は、天板位置を磁場中心位置に移動させるために、寝台駆動装置１３５を制御する。これにより、ユーザが所望する撮像対象部位は、ボア５３内における磁場中心位置に移動される。
【０１９０】
以上に述べた構成によれば、以下に示す効果を得ることができる。  
上記撮影状態変更機能３８３を実現する磁気共鳴イメージング装置１０によれば、スクリーン６３に対する反射板６７の角度とスクリーン６３に対する支持アーム６５の相対的な位置とのうち少なくとも一つに応じて、２つのカメラによる撮影状態を切り替えることができる。本実施形態の応用例３に係る磁気共鳴イメージング装置１０によれば、例えば、スクリーンに対する反射板６７の角度に応じて、カメラの用途の使い分けることで、患者Ｐに対する撮影方向（対物レンズの向き）、および画角を変更することができる。
【０１９１】
これにより、反射板６７が略水平の第１の角度に設定されたとき、第１カメラ８０により収集された顔画像をタッチパネル３５１に表示でき、表示された顔画像に対して、位置合わせ指示を入力することができる。すなわち、本応用例３に係る第１カメラ８０は、天板１３１に載置された患者Ｐの監視のみならず、投光器５９としての役割を果たすことができる。このとき、投光器５９は不要となり、本磁気共鳴イメージング装置１０の製造コストを低減させることができる。
【０１９２】
これらのことから、本応用例３に係る磁気共鳴イメージング装置１０によれば、撮像対象部位が患者Ｐの頭部領域である場合、患者Ｐの頭部に対する位置合わせにおいて、投光器５９を用いることなく、すなわち患者Ｐの一部分ですらボア５３内に挿入することなく、撮像対象部位に対する磁場中心位置への位置決めを実行することができる。これにより、本応用例３に係る磁気共鳴イメージング装置１０によれば、患者頭部を撮影する場合、投光器５９の直下に患者頭部を移動させる必要がないため、患者Ｐは、位置決めの場合においてもビームスプリッタ６７１の背面に配置されたフィルム６７２の画像または背面モニタ６７６の映像を、直接視認することができる。
【０１９３】
以上のことから、本応用例３に係る磁気共鳴イメージング装置１０によれば、第１の角度で配置された反射板６７において、ビームスプリッタ６７１の背面に配置されたフィルム６７２の画像または背面モニタ６７６の映像を患者Ｐに視認させることで、第１の角度で配置された反射板６７を有効活用し、患者Ｐに違和感を生じさせず、患者Ｐの不安を改善し、かつ患者Ｐをリラックスできる環境を提供することができる。
【０１９４】
加えて、本応用例３に係る磁気共鳴イメージング装置１０によれば、反射板６７が第２の角度（傾斜）に設定されたとき、第２カメラ８５により患者Ｐの上半身画像を収集することができる。これにより、本応用例３に係る磁気共鳴イメージング装置１０によれば、反射板６７が第２の角度に設定されたとき、広範囲にわたって患者Ｐを監視することができる。さらに、本応用例３に係る磁気共鳴イメージング装置１０によれば、上半身画像を用いて、再構成画像の体動補正を実行することができ、再構成画像の画質等を向上させることができる。
【０１９５】
さらに、本応用例３における第１カメラ８０は、ボア５３内に配置された移動式スクリーン装置１５に設けられるので、架台１１外に設けられた従来の監視用カメラに比して、より患者Ｐに近い位置に設けられることとなる。これにより、例えば、架台１１内の患者Ｐの表情を撮影することができるので、ＭＲ撮像中における患者Ｐの様子を正確に捉えることが可能となる。
【０１９６】
（応用例４）  
応用例４は、反射板６７の外装に一端に撮影方向が変更可能な撮影部が搭載されていることに対応する。撮影部は、例えば、光学式カメラである。撮影部の撮影方向は、撮影状態変更機能３８３を実現するシステム制御回路３８により、制御される。以下の説明において、応用例３と重複する部分については説明を適宜省略する。なお、本応用例に係る撮影状態変更機能３８３は、応用例３に係る撮影状態変更機能３８３および他の各種状態変更機能のうち少なくとも一つの機能とともに実行することも可能である。
【０１９７】
図３６は、応用例４に係り、第１の角度で配置された反射板６７を有する移動式スクリーン装置１５の側面図である。図３７は、応用例４に係り、第２の角度で配置された反射板６７を有する移動式スクリーン装置１５の側面図である。図３６および図３７に示すように、応用例４に係る移動式スクリーン装置１５における反射板６７の外装の端部には、天板１３１に載置された患者Ｐを撮影するための光学式カメラ９０が設けられている。
【０１９８】
反射板６７は、１つの撮影部を支持する。具体的には、反射板６７の外装またはベースカバー６７５における寝台１３側の端部において、反射板６７に対する撮影方向を変更可能に、一つの光学式カメラ９０を支持する。例えば、反射板６７は、光学式カメラ９０における対物レンズを自在に回転可能な回転軸（以下、レンズ回転軸と呼ぶ）に嵌合された軸受を介して、後述する対物レンズを支持する。
【０１９９】
光学式カメラ９０は、例えば、対物レンズ９１と、光ファイバ９３と、不図示のＣＣＤとを有する。対物レンズ９１と、光ファイバ９３とは、非磁性材料により形成される。対物レンズ９１は、患者Ｐからの光を収束又は発散する。
【０２００】
対物レンズ９１は、第１の角度で配置された反射板６７において、天板１３１に載置された患者Ｐの顔面に対向する向きとなるように、反射板６７の寝台１３側の端部には配置される。図３６における点線は、対物レンズ９１の視野（撮影範囲）を示している。図３６に示すように、対物レンズ９１の視野は、患者Ｐの顔面を含む頭部を包含する範囲である。このとき、本応用例における対物レンズ９１は、応用例５の第１対物レンズ８１に相当する。
【０２０１】
対物レンズ９１は、第２の角度で配置された反射板６７において、天板１３１に載置された患者Ｐの頭部から胸部または腹部にかけての略上半身を撮影可能なように、反射板６７の寝台１３側の端部には配置される。すなわち、第２の角度で配置された反射板６７における対物レンズ９１の撮影方向は、患者Ｐをできるだけ広範囲に撮影する方向である。図３７における点線は、対物レンズ９１の視野を示している。図３７に示すように、対物レンズ９１の視野（撮影範囲）は、患者Ｐの略上半身を包含する範囲である。このとき、本応用例における対物レンズ９１は、応用例５の第２対物レンズ８６に相当する
光ファイバ９３は、対物レンズ９１からの光を導く光導波路である。光ファイバ９３は、対物レンズ９１からの光を、架台１１外部に設けられたＣＣＤに導くために、対物レンズ９１とＣＣＤとを接続する。光ファイバ９３は、レール５５又は架台筐体５１の内壁５７の表面に取り付けられても良いし、レール５５又は架台筐体５１の内部に埋設されても良い。
【０２０２】
ＣＣＤは、光ファイバ９３からの光を受光し、当該光を電気信号に変換する複数の受光素子を有する。ＣＣＤは、複数の受光素子からの電気信号に基づいて、患者Ｐに関する光学画像データを発生する。例えば、第１の角度で配置された反射板６７において、ＣＣＤにより発生された光学画像データは、図３６に示すように、主として患者Ｐの顔画像に関する顔画像データである。また、第２の角度で配置された反射板６７において、ＣＣＤにより発生された光学画像データは、図３７に示すように、主として患者Ｐの上半身画像に関する上半身画像データである。
【０２０３】
なお、対物レンズ９１とＣＣＤとを結ぶ光ファイバ９３は剛性を有しているので、移動式スクリーン装置１５のスライドに伴い光ファイバ９３が破損するおそれがある。これを防止するため、例えば、移動式スクリーン装置１５のスライドに関わらず、光ファイバ９３が一定の曲率を保持したまま対物レンズ９１とＣＣＤとを接続可能な機構が、架台１１等に設けられても良い。
【０２０４】
顔画像データに対応する顔画像は、コンソール２７における各種ディスプレイ、および架台筐体５１の寝台１３側における外装面におけるタッチパネルに表示される。また、上半身画像データに対応する上半身画像は、コンソール２７における各種ディスプレイに表示される。なお、上半身画像は、架台筐体５１の外装面におけるタッチパネルに表示されてもよい。上半身画像は、患者Ｐの体動に伴い変化する体動情報を有する。
【０２０５】
入力回路３６は、架台筐体５１の寝台１３側における外装面におけるタッチパネルに表示された顔画像に対して、位置合わせ指示を入力する。これにより、患者Ｐの頭部領域に対して、天板位置が確定される。
【０２０６】
画像処理回路３３は、第２の角度で配置された反射板６７において、光学式カメラ９０により撮影された上半身画像を利用して再構成画像の体動補正を行う。
【０２０７】
反射板６７の回転軸ＲＲ１と、レンズ回転軸との間には、回転軸ＲＲ１の回転をレンズ回転軸に伝達する不図示の回転伝達機構が設けられる、回転伝達機構とは、例えば、フレキシブルシャフト、種々の歯車、種々の伝達機構（チェーンおよびスプロケット、プーリー及びベルト、シャフトドライブなど）、自在継手などである。回転伝達機構は、非磁性材料により構成される。
【０２０８】
具体的には、回転伝達機構は、回転軸ＲＲ１の一端とレンズ回転軸の一端とを接続するフレキシブルシャフトである。なお、回転伝達機構は、回転軸ＲＲ１に嵌合された第１歯車と、レンズ回転軸に嵌合された第２歯車と、第１歯車の回転を第２歯車に伝達するチェーンまたは両端に歯が設けられたシャフトとにより構成されてもよい。また、回転伝達機構は、回転軸ＲＲ１に嵌合された第１プーリーと、レンズ回転軸に嵌合された第２プーリーと、第１プーリーの回転を第２プーリーに伝達するベルトとにより構成されてもよい。また、回転伝達機構は、回転軸ＲＲ１とレンズ回転軸とを接続する自在継手であってもよい。
【０２０９】
図３６と図３７とに示すように、回転軸ＲＲ１周りの反射板６７の回転角度θ１と、レンズ回転軸周りの対物レンズ９１の回転角度θ２とは、一般的に異なる。このため、回転伝達機構は、回転角度θ１と回転角度θ２とを整合させる不図示の角度整合機構を有する。角度整合機構は、例えば、非磁性材料で構成された種々の歯車等により実現される。なお、回転角度θ１と回転角度θ２とは等しい場合、角度整合機構は、不要となる。
【０２１０】
角度調整機構は、例えば、回転軸ＲＲ１の一端とフレキシブルシャフトとの間と、レンズ回転軸の一端とフレキシブルシャフトとの間とのうち少なくとも一方に設けられた少なくとも一つの歯車に対応する。また、回転伝達機構が種々の歯車、種々の伝達機構、自在継手により構成される場合、角度調整機構は、歯車の歯数、プーリーの円周の長さ等に対応する。
【０２１１】
回転軸ＲＲ１周りの反射板６７の回転角度θ１とは、第１の角度と第２の角度との差である。レンズ回転軸周りの対物レンズ９１の回転角度θ２は、第１の角度で配置された反射板６７に対する対物レンズ９１の角度と、第２の角度で配置された反射板６７に対する対物レンズ９１の角度との差である。
【０２１２】
（撮影状態変更機能）  
ユーザの操作により反射板６７が第１の角度から第２の角度に回転されると、回転伝達機構は、回転軸ＲＲ１周りの回転をレンズ回転軸に伝達する。具体的には、回転伝達機構における角度整合機構は、回転角度θ１を、回転角度θ２に変換する。回転伝達機構は、変換した回転角度θ２をレンズ回転軸に伝達する。レンズ回転軸は、回転角度θ２に亘って対物レンズ９１を回転させる。
【０２１３】
また、ユーザの操作により反射板６７が第２の角度から第１の角度に回転されると、回転伝達機構は、回転軸ＲＲ１周りの回転をレンズ回転軸に伝達する。上記設営との相違は、回転方向が異なるだけであるため、説明は省略する。以上の動作により、光学式カメラ９０の撮影状態（撮影方向）が変更される。
【０２１４】
以上に述べた構成によれば、応用例３に記載の効果に加えて、以下に示す効果を得ることができる。  
上記撮影状態変更機能３８３を実現する磁気共鳴イメージング装置１０によれば、スクリーン６３に対する反射板６７の角度に応じて、一つの光学式カメラ９０による撮影状態を切り替えることができる。すなわち、本実施形態の応用例４に係る磁気共鳴イメージング装置１０によれば、スクリーンに対する反射板６７の回転に連動して、患者Ｐに対する対物レンズ９１による撮影方向を変更することができる。
【０２１５】
本応用例４に係る磁気共鳴イメージング装置１０によれば、構造的な機構により、反射板６７の回転に連動して対物レンズ９１の向きを変更することができるため、製造コストを低減させ、かつ移動式スクリーン装置１５をシンプルにすることができる。
【０２１６】
（応用例５）  
応用例５は、状態変更機能３８１として照明状態変更機能３８４を実現することにある。なお、本応用例に係る照明状態変更機能３８４は、他の応用例に係る照明状態変更機能３８４および他の各種状態変更機能のうち少なくとも一つの機能とともに実行することも可能である。
【０２１７】
（照明状態変更機能）  
照明状態変更機能３８４は、スクリーン６３に対する反射板６７の角度とスクリーン６３に対する支持アーム６５の相対的な位置とのうち少なくとも一つに応じて、ボア５３内における検査空間および検査室３００における照明状態を変更する機能である。以下、照明状態変更機能３８４に係る処理について説明する。
【０２１８】
具体的には、照明状態変更機能３８４を実現するシステム制御回路３８は、検出器７２からの検出結果に基づいて、外装照明器５６と、ボア内照明器５８と、検査室照明器３１０とのうち少なくとも一つにおける照明のＯＮ状態及びＯＦＦ状態、または照明の強弱（調光）を切り替える。照明のＯＮ状態及びＯＦＦ状態の切換は、例えば、電流の供給および遮断（電流のスイッチング）に対応する。
【０２１９】
また、照明強弱の切換は、例えば、電流の供給量の大小、または電流が供給されるＬＥＤの個数の変化等に対応する。なお、照明のＯＦＦ状態の代わりに、照明の光量が低減されてもよい。また、システム制御回路３８は、検出器７２からの検出結果に基づいて、外装照明器５６により光が寝台１３側の外装面に照射される幅、調光等を制御してもよい。
【０２２０】
具体的には、検出器７２により第１の角度が検出されたとき、または移動台車６１上において支持アーム６５がスクリーン６３側に位置しているとき、システム制御回路３８は、外装照明器５６と、ボア内照明器５８と、検査室照明器３１０とのうち少なくとも一つにおける照明をＯＮ状態として維持するように、これら３つの照明器のうち少なくとも一つを制御する。照明がＯＮ状態に維持されている期間は、例えば、図２９におけるフローチャートのステップＳａ１からＳａ４のＮｏまでの期間と、ステップＳａ８からエンドまでの期間に対応する。
【０２２１】
このとき、システム制御回路３８は、スクリーン６３に投影される映像のコンテンツに応じて、外装照明器５６と、ボア内照明器５８と、検査室照明器３１０とにおいて発生される照明光の色相、光量を調整するように、これら３つの照明器を制御してもよい。例えば、映写対象の映像が海、空など青色に関する映像であるとき、システム制御回路３８は、照明光の色相が青色となるように、これら３つの照明器を制御する。また、映写対象の映像が森、林、山など緑色に関する映像であるとき、システム制御回路３８は、照明光の色相が緑色となるように、これら３つの照明器を制御する。
【０２２２】
また、システム制御回路３８は、映像対象の映像の光量に応じて、これら３つの照明器を制御してもよい。例えば、第１の配置形態において、検査室３００に入室した患者にスクリーン６３に投影された映像を意識させない場合、システム制御回路３８は、映像対象の映像の光量より大きい光量の照明光を発生するように、これら３つの照明器を制御する。また、第１の配置形態において、検査室３００に入室した患者にスクリーン６３に投影された映像を意識させる場合、システム制御回路３８は、映像対象の映像の光量より小さい光量の照明光を発生するように、これら３つの照明器を制御する。
【０２２３】
検出器７２により第２の角度が検出されたとき、または移動台車６１上において支持アーム６５が寝台１３側に位置しているとき、システム制御回路３８は、外装照明器５６と、ボア内照明器５８と、検査室照明器３１０とにおける照明をＯＦＦ状態として維持するように、これら３つの照明器のうち少なくとも一つを制御する。照明がＯＦＦ状態に維持されている期間は、例えば、図２９におけるフローチャートのステップＳａ４のＹｅｓからＳａ７までの期間に対応する。
【０２２４】
また、反射板６７の配置状態が第１の角度から第２の角度へ変更されたとき、すなわち回転軸ＲＲ１周りの反射板６７の回転動作の開始時点が検出されたとき、システム制御回路３８は、これら３つの照明器の照明状態をＯＮ状態からＯＦＦ状態に切り替えるように、これら３つの照明器を制御する。照明状態をＯＮ状態からＯＦＦ状態に切り替える処理は、例えば、図２９におけるフローチャートのステップＳａ５に対応する。
【０２２５】
また、反射板６７の配置状態が第２の角度から第１の角度へ変更されたとき、システム制御回路３８は、これら３つの照明器の照明状態をＯＦＦ状態からＯＮ状態に切り替えるように、これら３つの照明器を制御する。照明状態をＯＦＦ状態からＯＮ状態に切り替える処理は、例えば、図２９におけるフローチャートのステップＳａ８に対応する。
【０２２６】
なお、システム制御回路３８は、支持アーム６５が移動台車６１上においてスクリーン６３側から寝台１３側に引き出されたとき、これら３つの照明器の照明状態をＯＮ状態からＯＦＦ状態に切り替えるように、これら３つの照明器を制御してもよい。また、システム制御回路３８は、支持アーム６５が移動台車６１上において寝台１３側からスクリーン６３側に押し込まれたとき、これら３つの照明器の照明状態をＯＦＦ状態からＯＮ状態に切り替えるように、これら３つの照明器を制御してもよい。
【０２２７】
なお、ＯＮ状態とＯＦＦ状態との間の照明状態の切り替えは、外装照明器５６と、ボア内照明器５８と、検査室照明器３１０とのうち少なくとも一つの照明器に対して実施されてもよい。
【０２２８】
図３８は、第１の配置形態であって、配置状態として第１の角度に反射板６７が配置された場合における検査室３００およびボア５３内の照明状態の一例を示す図である。このとき、図３８に示すように、外装照明器５６と、ボア内照明器５８と、検査室照明器３１０とにおける照明は、ＯＮ状態となる。
【０２２９】
図３９は、配置状態として第２の角度に反射板６７が配置された場合における検査室３００およびボア５３内の照明状態の一例を示す図である。このとき、図３９に示すように、外装照明器５６と、ボア内照明器５８と、検査室照明器３１０とは、ＯＦＦ状態の照明となる。
【０２３０】
以上に述べた構成によれば、以下に示す効果を得ることができる。  
本応用例５に係る磁気共鳴イメージング装置１０によれば、スクリーン６３に対する支持アーム６５の移動と反射板６７の角度とに応じて、外装照明器５６と、ボア内照明器５８と、検査室照明器３１０とのうち少なくとも一つにおける照明のＯＮ状態及びＯＦＦ状態、または照明の強弱を切り替えることができる。すなわち、反射板６７が略水平の第１の角度で配置されたとき、外装照明器５６と、ボア内照明器５８と、検査室照明器３１０とにおける照明をＯＮ状態にすることができる。これにより、第１の配置形態における患者Ｐは、架台１１の外部から架台筐体５１を視認できるため、患者Ｐの不安を軽減させることができる。
【０２３１】
加えて、反射板６７が第２の角度で配置されたとき、外装照明器５６と、ボア内照明器５８と、検査室照明器３１０とにおける照明をＯＦＦ状態または弱い光量にすることができる。これにより、本応用例５に係る磁気共鳴イメージング装置１０によれば、反射板６７に反射された映像のコントラストをより明瞭および強調させることができ、より綺麗な映像を患者Ｐに視認させることができる検査空間内の環境を提供することができる。
【０２３２】
以上のことから、本応用例５に係る磁気共鳴イメージング装置１０によれば、検出器７２からの出力に基づいて各種照明器の点灯パターンを制御することにより、患者Ｐに違和感を生じさせず、患者Ｐの不安を改善し、かつ患者Ｐをリラックスできる検査空間の環境を提供することができる。
【０２３３】
（応用例６）  
応用例６は、支持アーム６５と反射板６７とのうち少なくとも一つの外装面に発光器が搭載されていることに対応する。このとき、不図示の発光器は、システム制御回路３８における照明状態変更機能３８４により制御される。発光器は、少なくとも一つの発光ダイオードを有する。なお、発光器は、複数の色相の光をそれぞれ発生する複数の発光ダイオードを有していてもよい。また、発光器に搭載される光源は、発光ダイオードに限定されず、任意の発光機器が用いられてもよい。
【０２３４】
支持アーム６５と反射板とのうち少なくとも一つの外装面には、少なくとも一つの発光器が搭載される。例えば、発光器は、支持アーム６５の側方の内壁５７側の側面に搭載される。また、発光器は、反射板６７におけるベースカバー６７５の外装において、例えば上方の内壁５７側に搭載される。なお、本応用例における照明状態変更機能３８４は、他の応用例に係る照明状態変更機能３８４および他の各種状態変更機能のうち少なくとも一つの機能とともに実行することも可能である。
【０２３５】
（照明状態変更機能）  
照明状態変更機能３８４を実現するシステム制御回路３８は、スクリーン６３に対する反射板６７の角度とスクリーン６３に対する支持アーム６５との相対的な位置とのうち少なくとも一つに応じて、発光器における照明のＯＮ状態およびＯＦＦ状態、または照明の強弱を切り替える。照明のＯＮ状態及びＯＦＦ状態の切換は、例えば、電流の供給および遮断（電流のスイッチング）に対応する。また、照明強弱の切換は、例えば、電流の供給量の大小、または電流が供給されるＬＥＤの個数の変化等に対応する。
【０２３６】
具体的には、システム制御回路３８は、検出器７２からの検出結果に基づいて、発光器における照明のＯＮ状態およびＯＦＦ状態、または照明の強弱を切り替える。照明のＯＮ状態およびＯＦＦ状態の切換は、例えば、電流の供給および遮断（電流のスイッチング）に対応する。また、照明強弱の切換は、例えば、電流の供給量の大小、または電流が供給されるＬＥＤの個数の変化等に対応する。照明状態変更機能３８４に関する発光器に対する制御は、上述した応用例５と同様なため、説明は省略する。
【０２３７】
図４０は、第１の配置形態であって、配置状態として第１の角度に反射板６７が配置された場合における発光器の照明状態の一例を示す図である。このとき、図４０に示すように、発光器における照明は、ＯＮ状態となる。
【０２３８】
以上に述べた構成によれば、以下に示す効果を得ることができる。  
本応用例６に係る磁気共鳴イメージング装置１０によれば、スクリーン６３に対する支持アーム６５の移動と反射板６７の角度とに応じて、支持アーム６５と反射板６７とのうち少なくとも一つの外装面に搭載された発光器における照明の点灯パターン（ＯＮ状態及びＯＦＦ状態、または照明の強弱）を切り替えることができる。すなわち、反射板６７が略水平の第１の角度で配置されたとき、発光器における照明をＯＮ状態にすることができる。これにより、第１の配置形態において、ボア５３の寝台側端部における反射板６７と支持アーム６５とによる影を低減させることができる。
【０２３９】
以上のことから、本応用例６に係る磁気共鳴イメージング装置１０によれば、検出器７２からの出力に基づいて各種照明器の点灯パターンを制御することにより、反射板６７と支持アーム６５とを、スクリーン６３の映像または隙間Ｇ１を通過した投影光ＬＰに、光学的に略同化（一体化）させることができ、第１の配置形態における反射板６７と支持アーム６５との存在感を低減させることができる。これにより、第１の配置形態における患者Ｐにボア５３近傍における違和感を低減させ、患者Ｐの不安を改善し、かつ患者Ｐをリラックスできる検査室の環境を提供することができる。
【０２４０】
加えて、反射板６７が第２の角度で配置されたとき、発光器における照明をＯＦＦ状態することができる。これにより、反射板６７に反射された映像のコントラストを明瞭にさせる（強調させる）ことが可能な検査空間内の環境を提供することができる。これらのことから、患者Ｐは、反射板６７に反射された映像のコントラストを、より明瞭に視認することができる。
【０２４１】
（応用例７）  
応用例７は、支持アーム６５と反射板６７とのうち少なくとも一つの外装面にスピーカが搭載されていることに対応する。本応用例７において、スピーカは、システム制御回路３８により、後述する音響状態変更機能により制御される。
【０２４２】
図４１は、応用例７に係る移動式スクリーン装置１５の側面図である。図４１に示すように、応用例７に係る移動式スクリーン装置１５にはスピーカ９７が設けられている。具体的には、スピーカ９７は、患者Ｐの頭部に近い位置に配置された支持アーム６５の外装面に設けられると良い。スピーカ９７は、様々な用途に応じた音を発生する。
【０２４３】
なお、スピーカ９７は、支持アーム６５と反射板６７とのうち少なくとも一つの外装面に設けられてもよい。例えば、スピーカ９７は、反射板６７におけるベースカバー６７５の側面に設けられる。スピーカ９７は、非磁性の材料で構成される。なお、スピーカ９７に対して防磁性が施されていてもよい。
【０２４４】
スピーカ９７は、有線又は無線を介して映写機制御装置２００に接続されている。この場合、スピーカ９７は、例えば、映写機１００から移動式スクリーン装置１５に投影される映像に対応する、映写機制御装置２００から伝送された音声を発生するとよい。患者Ｐは、音声を聞きながら映像を見ることができるので、ボア５３内をさらに快適に過ごすことができる。
【０２４５】
また、スピーカ９７は、有線又は無線を介してコンソール２７に接続されても良い。この場合、スピーカ９７は、コンソール２７に設けられたマイクロホンにより集音された医療従事者の音声を発しても良い。これによりＭＲ撮像中においても医療従事者の指示等を患者Ｐに伝えることができる。
【０２４６】
（音響状態変更機能）  
音響状態変更機能３８５は、スクリーン６３に対する反射板６７の角度およびスクリーン６３に対する支持アーム６５の相対的な位置、または支持アーム６５への反射板６７の脱着に応じて、移動式スクリーン装置１５が配置された空間（ボア５３内）における音響状態を変更する機能である。以下、音響状態変更機能３８５に係る処理について説明する。なお、音響状態変更機能３８５は、他の各種状態変更機能のうち少なくとも一つの機能とともに実行することも可能である。
【０２４７】
具体的には、音響状態変更機能３８５を実現するシステム制御回路３８は、検出器７２からの検出結果に基づいて音響状態を変更するために、スピーカ９７により発生される音の特性を変更する。移動式スクリーン装置１５が配置された空間（ボア５３内）における音響状態は、音の特性の変更により変化する。音の特性とは、例えば、音量（音圧）、音色（波形）、音高（振動数）、音の再生速度などである。
【０２４８】
なお、システム制御回路３８は、スクリーンに投影された映像の切り替えに応じて、音の特性および音源を切り替えてもよい。また、システム制御回路３８は、検出器７２からの検出結果に基づいて、スピーカ９７から出力される音楽を変更してもよい。
【０２４９】
第１の角度が検出器７２により検出されたとき、または移動台車６１上において支持アーム６５がスクリーン６３側に位置しているときにスピーカ９７から出力される音の特性（以下、第１音響特性と呼ぶ）は、検出器７２により第２の角度が検出されたとき、または移動台車６１上において支持アーム６５が寝台１３側に位置しているときにスピーカ９７から出力される音の特性（以下、第２音響特性と呼ぶ）と異なる。
【０２５０】
例えば、第１音響特性における音量は、第２音響特性における音量より大きい。第１音響特性における音色、音高、再生速度と第２音響特性における音色、音高、再生速度との違いは、第１の配置形態における患者Ｐの周囲、例えば検査室３００における音場の環境（以下、第１音場環境と呼ぶ）と、第２の配置形態における患者Ｐの周囲、例えばボア５３内における音場の環境（以下、第２音場環境と呼ぶ）との相違に依存する。
【０２５１】
第１音場環境と第２音場環境とは、音の散乱、反射、吸収などが異なる。また、第１音場環境と第２音場環境とは、ブーミング、フラッターエコーなどの音響障害の特性も異なる。なお、第１音響特性と第２音響特性とは、それぞれ音場環境に応じて最適化されて、主記憶回路３７に記憶されてもよい。
【０２５２】
システム制御回路３８は、第１の角度が検出器７２により検出されたとき、または移動台車６１上において支持アーム６５がスクリーン６３側に位置しているとき、第１音響特性を有する音を、スピーカ９７から出力させる。第１音響特性が維持されている期間は、例えば、図２９におけるフローチャートのステップＳａ１からＳａ４のＮｏまでの期間と、ステップＳａ８からエンドまでの期間に対応する。
【０２５３】
検出器７２により第２の角度が検出されたとき、または移動台車６１上において支持アーム６５が寝台１３側に位置しているとき、システム制御回路３８は、第２音響特性を有する音を、スピーカ９７から出力させる。第２音響特性が維持されている期間は、例えば、図２９におけるフローチャートのステップＳａ４のＹｅｓからＳａ７までの期間に対応する。
【０２５４】
反射板６７の配置状態が第１の角度から第２の角度へ変更されたとき、すなわち回転軸ＲＲ１周りの反射板６７の回転動作の開始時点が検出されたとき、システム制御回路３８は、スピーカ９７から出力される音の特性を、第１音響特性から第２音響特性に変更する。第１音響特性から第２音響特性に音の特性を変更する処理は、例えば、図２９におけるフローチャートのステップＳａ５に対応する。
【０２５５】
反射板６７の配置状態が第２の角度から第１の角度へ変更されたとき、システム制御回路３８は、スピーカ９７から出力される音の特性を、第２音響特性から第１音響特性に変更する。第２音響特性から第１音響特性に音の特性を変更する処理は、例えば、図２９におけるフローチャートのステップＳａ８に対応する。
【０２５６】
なお、システム制御回路３８は、支持アーム６５が移動台車６１上においてスクリーン６３側から寝台１３側に引き出されたとき、または支持アーム６５に反射板６７が取り付けられたとき、スピーカ９７から出力される音の特性を、第１音響特性から第２音響特性に変更してもよい。また、システム制御回路３８は、支持アーム６５が移動台車６１上において寝台１３側からスクリーン６３側に押し込まれたとき、または支持アーム６５から反射板６７が取り外されたとき、スピーカ９７から出力される音の特性を、第２音響特性から第１音響特性に変更してもよい。また、システム制御回路３８は、スクリーン６３に投影される映像のコンテンツに応じて、音の特性を変更させてもよい。
【０２５７】
以上に述べた構成によれば、以下に示す効果を得ることができる。  
本応用例７に係る磁気共鳴イメージング装置１０によれば、スクリーン６３に対する反射板６７の角度およびスクリーン６３に対する支持アーム６５の相対的な位置、または支持アーム６５への反射板６７の脱着に応じて、音響状態を変更することができる。すなわち、患者Ｐとスピーカ９７との距離に応じて、患者Ｐに対して最適な音響状態（音量、音高、音色等）を提供することができる。これにより、患者Ｐの違和感を低減させ、患者Ｐの不安を改善し、かつ患者Ｐをリラックスできる検査室の環境を提供することができる。
【０２５８】
（応用例８）  
応用例８は、スクリーン６３に対する支持アーム６５の配置状態、または支持アーム６５の配置状態の変更動作に応答して反射板６７を回転させることに対応する。すなわち、本応用例８においては、移動式スクリーン装置１５は、Ｚ軸に沿った支持アーム６５のスライドに連動して、反射板６７の向き（角度）を変更する機構（以下、方向変更機構と呼ぶ）を有する。
【０２５９】
方向変更機構は、例えば、非磁性材料で構成されたボールネジおよびフレキシブルシャフト（または種々の歯車、種々の伝達機構（チェーンおよびスプロケット、プーリー及びベルト、シャフトドライブなど）、自在継手）等により構成される。方向変更機構は、移動台車６１に搭載される。方向変更機構により、反射板６７の角度は、支持アーム６５のスライドに連動して変更される。
【０２６０】
支持アーム６５は、回転軸ＲＲ１に嵌合された非磁性の歯車（以下、反射板回転歯車と呼ぶ）を有する。このとき、反射板６７は、反射板回転歯車の回転に連動して、回転軸ＲＲ１周りに回転する。
【０２６１】
ボールネジに含まれるナットは、スライド機構７１においてスライドされる部材、例えば、車輪６５１、またはガイド６１１に近接する支持アーム６５の一部分（支持アーム６５においてＺ方向に平行な部分）などに接続される。これにより、ナットは、支持アーム６５のスライドに合わせて、ボールネジのネジ軸上を移動する。ネジ軸は、ナットの移動、すなわち支持アーム６５のスライドに伴って回転する。
【０２６２】
ナットの移動範囲外におけるネジ軸の一端には、フレキシブルシャフトの一端が接続される。フレキシブルシャフトの他端に設けられた歯車（以下、他端歯車と呼ぶ）は、反射板回転歯車とかみ合う。支持アーム６５のスライドに伴うネジ軸の回転に従って、フレキシブルシャフトは回転する。フレキシブルシャフトの回転は、他端歯車の回転を介して反射板回転歯車に伝達される。
【０２６３】
（連動回転機能）  
連動回転機能とは、移動台車６１上におけるＺ方向に沿った支持アーム６５のスライドに連動して、反射板６７を回転軸ＲＲ１周りに回転させる機能である。連動回転機能により、反射板６７の反射状態は変更される。以下、連動回転機能について説明する。なお、連動回転機能は、他の各種状態変更機能のうち少なくとも一つの機能とともに実行することも可能である。
【０２６４】
上記構成により、反射板６７は、支持アーム６５のスライドに連動して、回転軸ＲＲ１周りに回転する。具体的には、支持アーム６５がスクリーン６３側から寝台１３側に向けてスライドされたとき、反射板６７は、第１の角度から第２の角度に回転する。加えて、支持アーム６５が寝台１３側からスクリーン６３側に向けてスライドされたとき、反射板６７は、第２の角度から第１の角度に回転する。
【０２６５】
具体的には、第１の配置形態から第２の配置形態への形態の移行後、すなわち支持アーム６５がユーザの操作によりスクリーン側６３から寝台側１３へ向けてスライドされたとき（支持アーム６５が移動台車６１から引き出されたとき）、反射板６７の角度は、第１の角度から第２の角度に切り替わる。
【０２６６】
また、第２の配置形態から第１の配置形態への形態の移行後、すなわち支持アーム６５がユーザの操作により寝台１３側からスクリーン６３側へ向けてスライドされたとき（支持アーム６５が移動台車６１に押し込まれたとき）、反射板６７の角度は、第２の角度から第１の角度に切り替わる。
【０２６７】
なお、方向変更機構の構造は、上記説明の構造に限定されない。すなわち、支持アーム６５のスライド（並進運動）を反射板６７の回転運動に変換させる構造であれば、どのような構造であってもよい。
【０２６８】
本応用例８に係る磁気共鳴イメージング装置１０によれば、スクリーン６３に対する支持アーム６５の配置状態、または支持アーム６５の配置状態の変更動作に応答して、反射板６７を回転させることができる。すなわち、本応用例８に係る磁気共鳴イメージング装置１０は、移動台車６１上におけるＺ方向に沿った支持アーム６５のスライドに連動して、反射板６７の角度を最適な角度に回転させることができる。これにより、ユーザに対する操作負担は軽減され、さらに患者Ｐに対する検査効率が向上する。
【０２６９】
さらに、スクリーン６３側から寝台１３側に向けて支持アーム６５がスライドされたとき、第１の角度から第２の角度に反射板６７が回転するため、患者自身の顔が反射板６７に映る時間を低減することができる。また、方向変更機構における各種歯車のギア比等を予め調整することで、患者自身の顔が反射板６７に映る時間を事実上ゼロにすることもできる。以上のことから、本応用例８に係る磁気共鳴イメージング装置１０によれば、患者Ｐの違和感を低減させ、患者Ｐの不安を改善し、かつ患者Ｐをリラックスできる検査室および検査空間の環境を提供することができる。
【０２７０】
以上述べた少なくとも一つの実施形態によれば、架台のボア内の居住性を向上可能である。例えば、移動式スクリーン装置１５内における可動部分または脱着部分における各種位置変化をトリガー信号として取得（検出）し、状態変更機能３８１における各種付加機能（反射状態変更機能３８２と、撮影状態変更機能３８３と、照明状態変更機能３８４と、音響状態変更機能３６５と、連動回転機能）を実行することができる。
【０２７１】
すなわち、例えば、少なくとも一つの実施形態における磁気共鳴イメージング装置１０によれば、反射板６７と支持アーム６５との少なくとも一方の配置状態とこの配置状態の動作とのうち少なく一つに応答して、状態変更機能３８１（反射状態変更機能３８２と、撮影状態変更機能３８３と、照明状態変更機能３８４と、音響状態変更機能３６５と、連動回転機能とのうち少なくとも一つ）を実行することができる。
【０２７２】
これにより、ボア５３内に位置する患者Ｐが視認する映像の効果を向上させることができる。また、反射状態変更機能３８２で上述したように、支持アーム６５への反射板６７の取り付けの検出および支持アーム６５から反射板６７の取り外しの検出に応答して、他の状態変更機能が実行されても良い。
【０２７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【０２７４】
１…医用画像診断システム（磁気共鳴イメージングシステム）、１０…医用画像診断装置（磁気共鳴イメージング装置）、１１…架台、１３…寝台、１５…移動式スクリーン装置（映像投影装置）、１７…撮像制御ユニット、２１…傾斜磁場電源、２３…送信回路、２５…受信回路、２７…コンソール、３１…撮像制御回路、３２…再構成回路、３３…画像処理回路、３４…通信回路、３５…表示回路、３６…入力回路、３７…主記憶回路、３８…システム制御回路、４１…静磁場磁石、４３…傾斜磁場コイル、４５…ＲＦコイル、５１…架台（架台筐体）、５３…ボア、５５…レール、５６…外装照明器、５７…内壁、５８…ボア内照明器、５９…投光器、６１…移動台車、６３…スクリーン、６５…支持アーム、６７…反射板、６９…連結部、７１…スライド機構、７２…検出器、７３…着脱検出器、７４…回転検出器、７５…移動検出器、８０…第１カメラ（光学式カメラ）、８１…第１対物レンズ、８３…第１光ファイバ、８５…第２カメラ、８５…第２カメラ（光学式カメラ）、８６…第２対物レンズ、８８…第２光ファイバ、９０…光学式カメラ、９１…対物レンズ、９３…光ファイバ、９７…スピーカ、１００…映写機、１３１…天板、１３３…基台、１３５……寝台駆動装置、１３７…患者固定具、２００…映写機制御装置、３００…検査室、３１０…検査室照明器、３５１…タッチパネル（映像表示モニタ）、３５３…タッチ操作、３８１…状態変更機能、３８２…反射状態変更機能、３８３…撮影状態変更機能、３８４…照明状態変更機能、３８５…音響状態変更機能、４００…制御室、５００…壁、５１０…窓、５８１…側部、５９１…交線光、６１１…ガイド、６５１…車輪、６７１…ビームスプリッタ、６７２…フィルム、６７３…導光板、６７４…光源、６７５…ベースカバー、６７６…背面モニタ、６７３１…光、Ｄ１…ドア、Ｄ２…ドア、Ｄ３…ドア、Ｇ１…隙間、ＰＥ１…寝台側端、ＲＲ１…回転軸、θ１…回転軸ＲＲ１周りの反射板６７の回転角度、θ２…レンズ回転軸周りの対物レンズ９１の回転角度。
【図１】
0006775943.tif 000002
【図２】
0006775943.tif 000003
【図３】
0006775943.tif 000004
【図４】
0006775943.tif 000005
【図５】
0006775943.tif 000006
【図６】
0006775943.tif 000007
【図７】
0006775943.tif 000008
【図８】
0006775943.tif 000009
【図９】
0006775943.tif 000010
【図１０】
0006775943.tif 000011
【図１１】
0006775943.tif 000012
【図１２】
0006775943.tif 000013
【図１３】
0006775943.tif 000014
【図１４】
0006775943.tif 000015
【図１５】
0006775943.tif 000016
【図１６】
0006775943.tif 000017
【図１７】
0006775943.tif 000018
【図１８】
0006775943.tif 000019
【図１９】
0006775943.tif 000020
【図２０】
0006775943.tif 000021
【図２１】
0006775943.tif 000022
【図２２】
0006775943.tif 000023
【図２３】
0006775943.tif 000024
【図２４】
0006775943.tif 000025
【図２５】
0006775943.tif 000026
【図２６】
0006775943.tif 000027
【図２７】
0006775943.tif 000028
【図２８】
0006775943.tif 000029
【図２９】
0006775943.tif 000030
【図３０】
0006775943.tif 000031
【図３１】
0006775943.tif 000032
【図３２】
0006775943.tif 000033
【図３３】
0006775943.tif 000034
【図３４】
0006775943.tif 000035
【図３５】
0006775943.tif 000036
【図３６】
0006775943.tif 000037
【図３７】
0006775943.tif 000038
【図３８】
0006775943.tif 000039
【図３９】
0006775943.tif 000040
【図４０】
0006775943.tif 000041
【図４１】
0006775943.tif 000042